(57)【要約】【課題】遠隔監視される移動体の監視者を移動体内において適切に確認可能にする。【解決手段】本願に係る決定装置は、監視者が遠隔監視する移動体であって、自動運転により動作する移動体に関する情報を有し、決定部を備える。決定部は、移動体に関する情報に基づいて、移動体に配置される表示装置に、移動体を遠隔監視する監視者を特定する特定情報を表示させると決定する。【選択図】図５
2019009510.tif 000002
【特許請求の範囲】
【請求項１】
監視者が遠隔監視する移動体であって、自動運転により動作する移動体に関する情報を有する決定装置であって、
前記移動体に関する情報に基づいて、前記移動体に配置される表示装置に、前記移動体を遠隔監視する監視者を特定する特定情報を表示させると決定する決定部、
を備えたことを特徴とする決定装置。
【請求項２】
前記決定部は、
前記移動体の監視者の変更に応じて、前記表示装置に表示中の特定情報を変更すると決定する
ことを特徴とする請求項１に記載の決定装置。
【請求項３】
前記決定部は、
前記移動体の監視者の一の監視者から他の監視者への変更に応じて、前記表示装置に表示中の特定情報を前記一の監視者に対応する特定情報から前記他の監視者に対応する特定情報に変更すると決定する
ことを特徴とする請求項２に記載の決定装置。
【請求項４】
前記決定部は、
前記移動体を監視する監視者の候補となる複数の監視者の各々に対応する複数の特定情報のうち、前記移動体を遠隔監視中の監視者に対応する特定情報を、前記表示装置に表示させると決定する
ことを特徴とする請求項１〜３のいずれか１項に記載の決定装置。
【請求項５】
前記決定部は、
前記移動体を監視する監視者の候補となる複数の監視者の各々に対応する複数の特定情報を前記表示装置に一覧表示させると決定する
ことを特徴とする請求項１〜３のいずれか１項に記載の決定装置。
【請求項６】
前記決定部は、
前記複数の特定情報のうち、前記移動体を遠隔監視中の監視者である対応中監視者を識別可能な表示態様で前記複数の特定情報を前記表示装置に表示させると決定する
ことを特徴とする請求項５に記載の決定装置。
【請求項７】
前記決定部は、
前記複数の監視者のうち、前記対応中監視者を明示する明示情報を、前記複数の特定情報とともに前記表示装置に表示させると決定する
ことを特徴とする請求項６に記載の決定装置。
【請求項８】
前記決定部は、
前記対応中監視者を明示する明示情報を、前記表示装置における前記対応中監視者に対応する特定情報の近傍に表示させると決定する
ことを特徴とする請求項７に記載の決定装置。
【請求項９】
前記決定部は、
前記対応中監視者に対応する特定情報を他の監視者に対応する特定情報とは異なる表示態様で前記表示装置に表示させると決定する
ことを特徴とする請求項５〜８のいずれか１項に記載の決定装置。
【請求項１０】
前記決定部は、
前記表示装置における前記対応中監視者に対応する特定情報の表示サイズを他の監視者に対応する特定情報の表示サイズよりも大きくすると決定する
ことを特徴とする請求項９に記載の決定装置。
【請求項１１】
前記決定部は、
前記表示装置における前記対応中監視者に対応する特定情報の色と他の監視者に対応する特定情報の色とを異ならせると決定する
ことを特徴とする請求項９または請求項１０に記載の決定装置。
【請求項１２】
前記決定部は、
前記対応中監視者に対応する特定情報を前記表示装置において点滅表示させると決定する
ことを特徴とする請求項９〜１１のいずれか１項に記載の決定装置。
【請求項１３】
監視者が遠隔監視する移動体であって、自動運転により動作する移動体に関する情報を有するコンピュータが実行する決定方法であって、
前記移動体に関する情報に基づいて、前記移動体に配置される表示装置に、前記移動体を遠隔監視する監視者を特定する特定情報を表示させると決定する決定工程、
を含んだことを特徴とする決定方法。
【請求項１４】
監視者が遠隔監視する移動体であって、自動運転により動作する移動体に関する情報を有するコンピュータが実行する決定プログラムであって、
前記移動体に関する情報に基づいて、前記移動体に配置される表示装置に、前記移動体を遠隔監視する監視者を特定する特定情報を表示させると決定する決定手順、
をコンピュータに実行させることを特徴とする決定プログラム。
【請求項１５】
遠隔監視される移動体であって、自動運転により動作する移動体に配置される表示装置であって、
前記移動体を遠隔監視する監視者を特定する特定情報を表示する表示部、
を備えたことを特徴とする表示装置。
【請求項１６】
遠隔監視される移動体であって、自動運転により動作する移動体に配置されるコンピュータが実行する表示方法であって、
前記移動体を遠隔監視する監視者を特定する特定情報を表示する表示工程、
を含んだことを特徴とする表示方法。
【請求項１７】
遠隔監視される移動体であって、自動運転により動作する移動体に配置されるコンピュータが実行する表示プログラムであって、
前記移動体を遠隔監視する監視者を特定する特定情報を表示する表示手順、
をコンピュータに実行させることを特徴とする表示プログラム。
【発明の詳細な説明】
【技術分野】
【０００１】
本発明は、決定装置、決定方法、決定プログラム、表示装置、表示方法、及び表示プログラムに関する。
【背景技術】
【０００２】
従来、種々の対象を監視する技術が提供されている。例えば、ビルや家屋等の監視対象を遠隔位置で監視して防犯等の安全対策を行うための監視システムに関する技術が知られている。
【先行技術文献】
【特許文献】
【０００３】
【特許文献１】特開２００４−２８７９２２号公報
【発明の概要】
【発明が解決しようとする課題】
【０００４】
しかしながら、上記の従来技術では、自動運転技術により運行されるバス等の移動体をいずれの監視者が監視しているかを、移動体内において適切に把握することが難しい場合がある。例えば、移動体は、ビル等の構造物と異なり、監視対象自体が移動するため、ビル等の構造物の監視技術では遠隔監視される移動体の監視者を移動体内において適切に確認可能にすることが難しい場合がある。
【０００５】
本願は、上記に鑑みてなされたものであって、遠隔監視される移動体の監視者を移動体内において適切に確認可能にする決定装置、決定方法、決定プログラム、表示装置、表示方法、及び表示プログラムを提供することを目的とする。
【課題を解決するための手段】
【０００６】
本願に係る決定装置は、監視者が遠隔監視する移動体であって、自動運転により動作する移動体に関する情報を有する決定装置であって、前記移動体に関する情報に基づいて、前記移動体に配置される表示装置に、前記移動体を遠隔監視する監視者を特定する特定情報を表示させると決定する決定部、を備えたことを特徴とする。
【発明の効果】
【０００７】
実施形態の一態様によれば、遠隔監視される移動体の監視者を移動体内において適切に確認可能にすることができるという効果を奏する。
【図面の簡単な説明】
【０００８】
【図１】図１は、実施形態に係る表示処理の一例を示す図である。
【図２】図２は、実施形態に係る監視者の表示の一例を示す図である。
【図３】図３は、実施形態に係る表示システムの構成例を示す図である。
【図４】図４は、実施形態に係る表示装置の構成例を示す図である。
【図５】図５は、実施形態に係る決定装置の構成例を示す図である。
【図６】図６は、実施形態に係る移動体情報記憶部の一例を示す図である。
【図７】図７は、実施形態に係る監視者情報記憶部の一例を示す図である。
【図８】図８は、実施形態に係る監視対応情報記憶部の一例を示す図である。
【図９】図９は、実施形態に係る表示処理の一例を示す図である。
【図１０】図１０は、実施形態に係る表示処理の一例を示す図である。
【図１１】図１１は、実施形態に係る表示の一例を示す図である。
【図１２】図１２は、実施形態に係る表示処理の一例を示すフローチャートである。
【図１３】図１３は、表示装置及び決定装置の機能を実現するコンピュータの一例を示すハードウェア構成図である。
【発明を実施するための形態】
【０００９】
以下に、本願に係る決定装置、決定方法、決定プログラム、表示装置、表示方法、及び表示プログラムを実施するための形態（以下、「実施形態」と呼ぶ）について図面を参照しつつ詳細に説明する。なお、この実施形態により本願に係る決定装置、決定方法、決定プログラム、表示装置、表示方法、及び表示プログラムが限定されるものではない。また、以下の各実施形態において同一の部位には同一の符号を付し、重複する説明は省略される。
【００１０】
（実施形態）
〔１．表示処理〕
まず、図１を用いて、実施形態に係る表示処理の一例について説明する。図１は、実施形態に係る表示処理の一例を示す図である。ここでいう表示処理には、決定装置１００により表示装置１０に表示する情報を決定する決定処理を含む。図１に示す例では、決定装置１００（図５参照）が、道路を自動走行する自動運転バス（以下、単に「バス」ともいう）を遠隔で監視する監視者（操作者）を種々の情報に基づいて変更（決定）する場合を示す。また、図１に示す例では、決定装置１００は、道路を自動走行するバスを遠隔で監視する監視者（操作者）を種々の情報に基づくタイミングで変更する。具体的には、決定装置１００が、複数のバス２０−１〜２０−５を対象として、各バス２０−１〜２０−５を遠隔で監視する監視者を各種の条件に基づくタイミングで変更する場合を示す。また、図１では、各監視者（操作者）が、複数台のバスを遠隔監視する場合を示す。
【００１１】
また、図１に示す例では、バス２０−１〜２０−５が、各々に対応付けられた運行ルートに基づいて動作する場合を示す。例えば、バス２０−１〜２０−５は、公道を所定の運行ルートで走行する。なお、バス２０−１〜２０−５は、運行ルートに基づいて走行する場合に限らず、搭乗者の行先の指定に応じたルートで走行してもよい。図１では、自動走行する車両であるバスを対象とする場合を示すが、移動体は、バスに限らず、種々の移動体であってもよい。例えば、対象はバスに限らず、タクシーやトラック等の貨物自動車等の種々の事業用自動車が対象であってもよい。また、例えば、移動体は、自家用自動車、いわゆる自家用車であってもよい。例えば、決定システムである表示システム１（図３参照）における表示処理の対象となる移動体が運搬するものは、人に限らず種々の物体であってもよい。言い換えると、表示システム１における移動体の運送の客体となるものは、人や人以外の物品等の有体物を含む種々の対象であってもよい。
【００１２】
〔表示システムの構成〕
図１の説明に先立って、図３を用いて表示システム１の構成について説明する。図３は、実施形態に係る表示システムの構成例を示す図である。図３に示すように、表示システム１は、端末装置５０−１と、端末装置５０−２と、バス２０−１と、バス２０−２と、表示装置１０−１と、表示装置１０−２と、決定装置１００とが含まれる。例えば、表示システム１は、いわゆる遠隔型自動走行システムであってもよい。ここでいう遠隔型自動走行システムとは、自動車（移動体）から遠隔に存在する運転者（監視者や操作者）が電気通信技術を利用して、その自動車の運転操作を行うことができる自動運転技術に関するシステムを意味する。
【００１３】
以下では、端末装置５０−１、５０−２について、特に区別なく説明する場合には、端末装置５０と記載する。なお、図３に示した表示システム１では、２台の端末装置５０−１、５０−２を図示するが、表示システム１には、３台以上の端末装置５０が含まれてもよい。また、図３に示した表示システム１では、２台のバス２０−１、２０−２を図示するが、表示システム１には、図１に示すように５台のバス２０−１〜２０−５が含まれてもよい。また、以下では、バス２０−１〜２０−５について、特に区別なく説明する場合には、バス２０と記載する。なお、表示システム１には、６台以上のバス２０が含まれてもよい。
【００１４】
また、以下では、表示装置１０−１、１０−２について、特に区別なく説明する場合には、表示装置１０と記載する。なお、図３に示した表示システム１では、表示装置１０−１がバス２０−１に配置され、表示装置１０−２がバス２０−２に配置される場合を示すが、各バス２０には２台以上の表示装置１０が配置されてもよい。また、図３に示した表示システム１では、２台の表示装置１０−１、１０−２を図示するが、表示システム１には、３台以上の表示装置１０が含まれてもよい。
【００１５】
また、図３に示すように、端末装置５０と、バス２０と、表示装置１０と、決定装置１００とは所定のネットワークＮを介して、有線または無線により通信可能に接続される。なお、図３に示した表示システム１には、複数台の決定装置１００が含まれてもよい。
【００１６】
端末装置５０は、バス２０を遠隔監視する監視者によって利用される情報処理装置である。端末装置５０は、監視者が移動体を監視するための表示装置である。例えば、監視者Ａ１や監視者Ａ２等の監視者は、バス２０による旅客輸送の事業を行う事業者（企業）の従業員等であってもよい。例えば、監視者Ａ１や監視者Ａ２は、バス２０による運輸業を営む交通機関の被雇用者等であってもよい。例えば、監視者Ａ１や監視者Ａ２は、バス２０による運輸業を営む交通機関の所在地（ビル等）において遠隔監視業務に従事する従事者であってもよい。なお、「監視者Ａ＊（＊は任意の数値）」と記載した場合、その監視者は監視者ＩＤ「Ａ＊」により識別されるユーザであることを示す。例えば、「監視者Ａ１」と記載した場合、その監視者は監視者ＩＤ「Ａ１」により識別される監視者である。
【００１７】
端末装置５０は、例えば、ノート型ＰＣや、デスクトップＰＣにより実現される。また、端末装置５０は、スマートフォンや、タブレット型端末や、携帯電話機や、ＰＤＡ等の情報処理装置であってもよい。また、端末装置５０は、メガネ型端末等のウェアラブル端末であってもよい。すなわち、端末装置５０は、監視者が遠隔監視業務を遂行可能であれば、どのような情報処理装置であってもよい。図１の例では、図示を簡単にするために、端末装置５０がノート型ＰＣである場合を示す。
【００１８】
バス２０は、自動運転により走行する移動体である。例えば、バス２０は、自動運転に関する種々の従来技術を適宜用いて自動走行する移動体である。また、バス２０は、遠隔に存在する監視者が電気通信技術を利用して、そのバス２０を遠隔監視や遠隔操作することができる移動体である。また、バス２０は、図示は省略するが通信機能を有し、端末装置５０や決定装置１００との間での情報通信が可能な移動体であるものとする。また、バス２０は、図示は省略するが情報処理機能を有し、端末装置５０や決定装置１００から受信した情報に基づいて制御される移動体であるものとする。
【００１９】
また、バス２０は、カメラ（図示省略）やマイクロフォン（図示省略）等の種々のセンサを備え、バス２０の周囲やバス２０内の状況を示す情報を検知可能である。バス２０に搭載されるカメラは、バス２０の周囲やバス２０内の画像や動画像を撮像可能であれば、どのようなセンサであってもよい。例えば、カメラは、ＣＣＤ（Charge-Coupled  Device）イメージセンサ等の種々のセンサであってもよい。バス２０に搭載されるマイクロフォンは、バス２０の周囲やバス２０内の音声を集音可能であれば、どのようなセンサであってもよい。
【００２０】
また、バス２０は、監視者が利用する端末装置５０や決定装置１００に、カメラで検知（撮像）した動画像を送信する。例えば、バス２０は、監視者が利用する端末装置５０や決定装置１００に、カメラで検知した動画像をリアルタイムで送信する。また、バス２０は、監視者が利用する端末装置５０や決定装置１００にマイクロフォンで検知（集音）した音声を送信する。例えば、バス２０は、監視者が利用する端末装置５０や決定装置１００に、マイクロフォンで検知した音声をリアルタイムで送信する。
【００２１】
また、バス２０は、ＧＰＳ（Global  Positioning  System）センサ等の位置情報を検知可能なセンサ（以下、「位置センサ」ともいう）を有し、バス２０の位置を検知可能であるものとする。例えば、バス２０は、監視者が利用する端末装置５０や決定装置１００に位置センサで検知した位置情報を送信する。例えば、バス２０は、監視者が利用する端末装置５０や決定装置１００に、位置センサで検知した位置情報をリアルタイムで送信する。
【００２２】
また、バス２０は、監視者等による外部からの指示を受信していない間は、カメラやマイクロフォンで検知した情報に基づいて、指定されたルートを自律的に走行可能であるものとする。なお、バス２０は、カメラやマイクロフォンに限らず、レーダー等の種々の従来技術を用いて、自律的に走行を行ってもよい。また、図１に示す例におけるバス２０には、バス２０内においてバス２０を操作する操作者、いわゆる運転手は搭乗していないものとする。
【００２３】
表示装置１０は、遠隔監視される移動体であって、自動運転により動作する移動体に配置される情報処理装置である。図１の例では、表示装置１０は、移動体であるバス２０内に配置される。例えば、表示装置１０は、移動体を遠隔監視する監視者を特定する特定情報を表示する。
【００２４】
表示装置１０は、例えば、ディスプレイを有する情報処理装置により実現される。すなわち、表示装置１０は、下記の表示処理を行い、情報を表示可能であれば、どのような情報処理装置であってもよい。図１の例では、表示装置１０がタブレット型端末である場合を示す。なお、表示装置１０は、図１に示すような、画面を有する構成に限らず、情報を表示可能であれば、どのような情報処理装置であってもよい。例えば、表示装置１０は、バス２０内の所定の面（スクリーンやバス２０の内面等）に情報（静止画や動画等）を投影することにより、情報を表示するプロジェクタ等であってもよい。
【００２５】
決定装置１００は、監視者に関する情報に基づいて、一の監視者の監視状況が所定の条件を満たすかどうかに応じて、複数の移動体の自動運転に関する態様を決定する情報処理装置である。また、決定装置１００は、複数の移動体に関する情報に基づいて、当該複数の移動体の状況が所定の条件を満たす場合、複数の移動体の自動運転に関する態様を決定する情報処理装置である。また、決定装置１００は、遠隔監視に関する情報に基づいて、複数の移動体を監視する監視者を変更するタイミングを決定する情報処理装置である。例えば、監視者に関する情報には、監視者が監視可能かどうかを示す情報や監視者の監視態様を示す情報や監視者の監視対象となっている移動体に関する情報が含まれてもよい。例えば、移動体に関する情報には、移動体において検知されたセンサ情報（動画像や音声等）や収集された情報が含まれてもよい。例えば、遠隔監視に関する情報には、監視者に関する情報や移動体に関する情報等の種々の情報が含まれてもよい。
【００２６】
ここから、図１を用いて表示処理について説明する。なお、バス２０を遠隔監視中の監視者を「対応中監視者」と記載する場合がある。例えば、対応中監視者は、バス２０を現に遠隔監視中の監視者を意味する。例えば、バス２０−１の対応中監視者と記載した場合、バス２０−１の対応中監視者は、バス２０−１をその時点において遠隔監視中の監視者を意味する。また、図１の例では、５台のバス２０−１〜２０−５を２人の監視者Ａ１及び監視者Ａ２が遠隔監視している場合を図示する。なお、表示システム１においては、３人以上の多数（例えば１００人）の監視者が５台以上の多数（例えば千台）のバス２０を監視していてもよい。
【００２７】
まず、図１に示す地図情報ＭＰ１１−１について、簡単に説明する。図１に示す地図情報ＭＰ１１−１は、バス２０−１〜２０−５の位置やバス２０と監視者との関係等を模式的に示す図である。図１に示す地図情報ＭＰ１１−１は、バス２０と監視者との関係の変化、すなわちバス２０の監視者の変更を図示するためのものである。
【００２８】
また、以下では、地図情報ＭＰ１１−１、ＭＰ１１−２（図９、図１０参照）について、特に区別なく説明する場合には、地図情報ＭＰ１１と記載する。また、図１の例において、地図情報ＭＰ１１中に示すバス２０と端末装置５０との間を結ぶ点線が、バス２０と監視者との関係を示す。図１中の地図情報ＭＰ１１−１においては、バス２０−１〜２０−３と監視者Ａ１が利用する端末装置５０−１とが点線で結ばれているため、図１中の地図情報ＭＰ１１−１に対応する時点では、バス２０−１〜２０−３が監視者Ａ１により遠隔監視されていることを示す。なお、図１中の点線の矢印は、バス２０において収集された情報（以下、「対象情報」ともいう）を端末装置５０が取得することを示す。
【００２９】
図１を用いて、一のバス２０における対応中監視者の表示に関する表示処理について説明する。上述したように、図１中の地図情報ＭＰ１１−１に対応する時点では、バス２０−１〜２０−３は、監視者Ａ１により遠隔監視されている。また、図１中の地図情報ＭＰ１１−１に対応する時点では、バス２０−４、２０−５は、監視者Ａ２により遠隔監視されている。すなわち、図１の例では、決定装置１００による表示処理の前の時点では、監視者Ａ１が３台のバス２０−１〜２０−３を遠隔監視し、監視者Ａ２が２台のバス２０−４、２０−５を遠隔監視している。
【００３０】
まず、監視者Ａ１が利用する端末装置５０−１は、バス２０−１の対象情報を取得する（ステップＳ１１−１）。図１の例では、端末装置５０−１は、バス２０−１の対象情報として、地図情報ＭＰ１１−１に示すバス２０−１において検知された動画像や音声等の種々の情報を取得する。また、端末装置５０−１は、図示を省略するが、バス２０−１の動画像を画面に表示したり、音声をスピーカ等により出力したりすることにより、監視者Ａ１がバス２０−１を遠隔監視することを可能にする。例えば、端末装置５０−１は、取得後直ぐに、バス２０−１の動画像を画面に表示したり、音声をスピーカ等により出力したりすることにより、監視者Ａ１がバス２０−１をリアルタイムに遠隔監視することを可能にする。
【００３１】
また、監視者Ａ１が利用する端末装置５０−１は、バス２０−２の対象情報を取得する（ステップＳ１１−２）。図１の例では、端末装置５０−１は、バス２０−２の対象情報として、地図情報ＭＰ１１−１に示すバス２０−２において検知された動画像や音声等の種々の情報を取得する。また、端末装置５０−１は、図示を省略するが、バス２０−２の動画像を画面に表示したり、音声をスピーカ等により出力したりすることにより、監視者Ａ１がバス２０−２を遠隔監視することを可能にする。例えば、端末装置５０−１は、取得後直ぐに、バス２０−２の動画像を画面に表示したり、音声をスピーカ等により出力したりすることにより、監視者Ａ１がバス２０−２をリアルタイムに遠隔監視することを可能にする。
【００３２】
また、監視者Ａ１が利用する端末装置５０−１は、バス２０−３の対象情報を取得する（ステップＳ１１−３）。図１の例では、端末装置５０−１は、バス２０−３の対象情報として、地図情報ＭＰ１１−１に示すバス２０−３において検知された動画像や音声等の種々の情報を取得する。また、端末装置５０−１は、図示を省略するが、バス２０−３の動画像を画面に表示したり、音声をスピーカ等により出力したりすることにより、監視者Ａ１がバス２０−３を遠隔監視することを可能にする。例えば、端末装置５０−１は、取得後直ぐに、バス２０−３の動画像を画面に表示したり、音声をスピーカ等により出力したりすることにより、監視者Ａ１がバス２０−３をリアルタイムに遠隔監視することを可能にする。
【００３３】
また、監視者Ａ２が利用する端末装置５０−２は、バス２０−４の対象情報を取得する（ステップＳ１１−４）。図１の例では、端末装置５０−２は、バス２０−４の対象情報として、地図情報ＭＰ１１−１に示すバス２０−４において検知された動画像や音声等の種々の情報を取得する。また、端末装置５０−２は、図示を省略するが、バス２０−４の動画像を画面に表示したり、音声をスピーカ等により出力したりすることにより、監視者Ａ２がバス２０−４を遠隔監視することを可能にする。例えば、端末装置５０−２は、取得後直ぐに、バス２０−４の動画像を画面に表示したり、音声をスピーカ等により出力したりすることにより、監視者Ａ２がバス２０−４をリアルタイムに遠隔監視することを可能にする。
【００３４】
また、監視者Ａ２が利用する端末装置５０−２は、バス２０−５の対象情報を取得する（ステップＳ１１−５）。図１の例では、端末装置５０−２は、バス２０−５の対象情報として、地図情報ＭＰ１１−１に示すバス２０−５において検知された動画像や音声等の種々の情報を取得する。また、端末装置５０−２は、図示を省略するが、バス２０−５の動画像を画面に表示したり、音声をスピーカ等により出力したりすることにより、監視者Ａ２がバス２０−５を遠隔監視することを可能にする。例えば、端末装置５０−２は、取得後直ぐに、バス２０−５の動画像を画面に表示したり、音声をスピーカ等により出力したりすることにより、監視者Ａ２がバス２０−５をリアルタイムに遠隔監視することを可能にする。
【００３５】
以下、ステップＳ１１−１〜Ｓ１１−５を区別せずに説明する場合、ステップＳ１１と総称する。また、ステップＳ１１−１〜Ｓ１１−５は、バス２０と端末装置５０との対応関係を示すためのものであり、端末装置５０は、監視対象となっているバス２０の対象情報を複数回に亘って取得してもよい。
【００３６】
なお、端末装置５０は、監視対象となっているバス２０から対象情報を取得してもよいし、決定装置１００等の外部装置を介してバス２０から対象情報を取得してもよい。例えば、決定装置１００は、バス２０から動画像や音声等の対象情報を取得し、バス２０を監視している監視者が利用する端末装置５０へ対象情報を送信してもよい。例えば、決定装置１００は、バス２０から動画像や音声等の対象情報を取得し、移動体情報記憶部１２１（図６参照）へ記憶してもよい。
【００３７】
また、監視者Ａ１は、ステップＳ１１において取得した対象情報に基づいて、監視対象となっているバス２０を遠隔監視する（ステップＳ１２−１）。図１の例では、監視者Ａ１は、端末装置５０−１によりバス２０−１〜２０−３の３台のバスを遠隔監視する。監視者Ａ１は、端末装置５０−１が画面に表示するバス２０−１〜２０−３の動画像を見たり、端末装置５０−１がスピーカ等により出力するバス２０−１〜２０−３の音声を聞いたりすることにより、バス２０−１〜２０−３の３台のバスをリアルタイムに遠隔監視する。
【００３８】
また、監視者Ａ２は、ステップＳ１１において取得した対象情報に基づいて、監視対象となっているバス２０を遠隔監視する（ステップＳ１２−２）。図１の例では、監視者Ａ２は、端末装置５０−２によりバス２０−４、２０−５の２台のバスを遠隔監視する。監視者Ａ２は、端末装置５０−２が画面に表示するバス２０−４、２０−５の動画像を見たり、端末装置５０−２がスピーカ等により出力するバス２０−４、２０−５の音声を聞いたりすることにより、バス２０−４、２０−５の２台のバスをリアルタイムに遠隔監視する。
【００３９】
以下、ステップＳ１２−１、Ｓ１２−２を区別せずに説明する場合、ステップＳ１２と総称する。また、ステップＳ１２−１、Ｓ１２−２は、監視者Ａ１や監視者Ａ２がバス２０を、端末装置５０を用いて遠隔監視していることを示すためのものであり、監視者Ａ１や監視者Ａ２は、監視対象となっているバス２０を所定の期間（例えば業務時間中等）に亘って継続して監視する。
【００４０】
ここで、図１の例では、バス２０−１は、監視者Ａ１が遠隔監視中である。すなわち、バス２０−１の対応中監視者は、監視者Ａ１である。そのため、決定装置１００（図５参照）は、バス２０−１に配置される表示装置１０−１に、バス２０−１を遠隔監視する監視者Ａ１を特定する特定情報ＩＮＦ１を表示させると決定する。例えば、決定装置１００は、監視対応情報記憶部１２３（図８参照）に記憶されたバス２０−１の対応中監視者が監視者Ａ１であることを示す情報に基づいて、表示装置１０−１に、特定情報ＩＮＦ１を表示させると決定する。例えば、決定装置１００は、表示装置１０−１に、特定情報ＩＮＦ１や制御情報等を表示装置１０−１へ送信することにより、特定情報ＩＮＦ１を表示させるように表示装置１０−１を制御する。これにより、バス２０−１内に配置された表示装置１０−１は、バス２０−１の対応中監視者が監視者Ａ１であることを示す特定情報ＩＮＦ１を表示する。図１の例では、表示装置１０−１は、監視者Ａ１の顔写真や名前（図中では監視者Ａ１と表記）や事業者名等を含む特定情報ＩＮＦ１を表示する。なお、決定装置１００は、監視者Ａ１がバス２０−１の対応中監視者になった時点から、表示装置１０−１に、特定情報ＩＮＦ１や制御情報等を表示装置１０−１へ送信することにより、特定情報ＩＮＦ１を表示させるように表示装置１０−１を制御する。そして、表示装置１０−１は、監視者Ａ１がバス２０−１の対応中監視者になった時点から特定情報ＩＮＦ１を表示しているものとする。また、表示装置１０−１の配置は、図１に示す例に限らず、バス２０−１の搭乗者が視認可能な位置であれば、どのような位置に配置されてもよい。また、バス２０−１の搭乗者がバス２０−１の対応中監視者を視認可能であることが必要ではない場合、表示装置１０−１は、バス２０−１に配置されていれば、どのような位置に配置されてもよい。この場合、表示装置１０−１は、例えば、バス２０−１の所定の収納部分に配置されてもよいし、バス２０−１の外部に向けて配置されてもよい。また、バス２０−１に配置される表示装置１０は、表示装置１０−１の一つに限らず、複数個あってもよい。
【００４１】
このように、表示装置１０は、バス２０−１の対応中監視者が監視者Ａ１であることを示す特定情報ＩＮＦ１を表示することにより、遠隔監視される移動体の監視者を移動体内において適切に確認可能にすることができる。このように、表示システム１においては、バス２０の対応中監視者をバス２０内に配置された表示装置１０により表示することにより、バス２０がどのような監視者により監視されているかをバス２０の搭乗者等の利用者が確認可能になる。これにより、例えば、表示システム１は、バス２０の利用者に安心感を与えることができ、バス２０の利用者の満足度を向上させることができる。また、表示システム１においては、バス２０がどのような監視者により監視されているかをバス２０の搭乗者等の利用者が確認可能にすることにより、バス２０に障害が発生した際等に警察等がいずれの監視者に連絡を取ればよいかが確認可能となる。これにより、例えば、表示システム１は、バス２０に故障や事故が発生した際に、迅速な連絡等の対処が可能となり、バス２０を用いたサービスの質を向上させることができる。なお、表示装置１０は、対応中監視者が複数の場合、各対応中監視者に対応する特定情報を表示してもよい。
【００４２】
（１−１．システム構成）
例えば、表示装置１０は、決定装置１００やバス２０から対応中監視者がいずれの監視者であるかを示す情報を受信し、受信した情報に対応する監視者の特定情報を表示してもよい。また、例えば、表示装置１０は、決定装置１００やバス２０から特定情報を受信し、受信した特定情報を表示してもよい。すなわち、表示システム１においては、表示装置１０自身が受信した情報に基づいて表示する特定情報を決定し、表示してもよいし、表示装置１０は受信した特定情報の表示のみを行ってもよい。このように、表示システム１は、表示装置１０が配置されたバス２０の対応中監視者を表示可能であればどのように構成されてもよい。
【００４３】
（１−２．表示の変更）
図１の例では、表示装置１０がバス２０の対応中監視者である監視者Ａ１の特定情報ＩＮＦ１を表示する場合を示したが、表示装置１０は、対応中監視者の変更に応じて、表示中の特定情報を変更する。例えば、表示装置１０は、バス２０の対応中監視者が監視者Ａ１から監視者Ａ３に変更された場合、画面表示を監視者Ａ１の特定情報ＩＮＦ１を監視者Ａ３の特定情報に切り替える。この場合、表示装置１０は、監視者Ａ１の特定情報ＩＮＦ１のみを表示している状態から、監視者Ａ３の特定情報のみを表示する状態に画面表示を変更される。例えば、決定装置１００からの指示に応じて、表示装置１０は、監視者Ａ１の特定情報ＩＮＦ１のみを表示している状態から、監視者Ａ３の特定情報のみを表示する状態に画面表示を変更される。言い換えると、表示装置１０が対応中監視者の特定情報のみを表示している場合、表示装置１０は、対応中監視者の変更に応じて表示する特定情報を変更する。このように、表示装置１０は、対応中監視者が一の監視者から他の監視者への変更に応じて、表示中の特定情報を一の監視者に対応する特定情報から他の監視者に対応する特定情報に変更する。なお、一覧表示時における表示の変更の点については、図９〜図１１において詳述する。
【００４４】
また、表示装置１０は、バス２０の対応中監視者が変更された場合に、種々の態様でバス２０の搭乗者（乗客）に対して対応中監視者が変更されたことを示す通知を行ってもよい。例えば、表示装置１０は、バス２０の対応中監視者の変更時に、特定音や音声等を出力することにより、そのバス２０の乗客向けに監視者が変更された旨を通知してもよい。例えば、表示装置１０は、バス２０の対応中監視者の変更時に、乗客の注意を引く特定音や、監視者の変更を意味する音声等を出力することにより、そのバス２０の乗客向けに監視者が変更された旨を通知してもよい。なお、表示装置１０は、決定装置１００からの指示に応じて処理を行ってもよい。また、表示システム１は、表示装置１０や案内ディスプレイ等の各種手段を用いて、バス２０の乗客向けに、そのバス２０の監視者が変更された旨を通知してもよい。表示システム１は、表示装置１０や案内ディスプレイ等の各種手段を用いて、バス２０の乗客向けに、そのバス２０の監視者が変更された旨を示す情報を表示してもよい。
【００４５】
（１−３．一覧表示）
また、図１の例では、表示装置１０がバス２０の対応中監視者である監視者Ａ１の特定情報ＩＮＦ１を表示する場合を示したが、バス２０を監視する監視者の候補となる複数の監視者の各々に対応する複数の特定情報を一覧表示してもよい。この点について図２を用いて説明する。図２は、実施形態に係る監視者の表示の一例を示す図である。なお、図２の例では、図１と同様に対応中監視者が監視者Ａ１であるものとする。
【００４６】
図２の例では、バス２０−１内に配置された表示装置１０−１は、バス２０−１を監視する監視者の候補となる複数の監視者の各々に対応する複数の特定情報ＩＮＦ１１〜ＩＮＦ１３を一覧表示する。例えば、表示装置１０−１は、監視者Ａ１に対応する特定情報として、監視者Ａ１の顔写真や名前（図中では監視者Ａ１と表記）や許可番号や有効期限等を含む特定情報ＩＮＦ１１を表示する。また、例えば、表示装置１０−１は、監視者Ａ２に対応する特定情報として、監視者Ａ２の顔写真や名前（図中では監視者Ａ２と表記）や許可番号や有効期限等を含む特定情報ＩＮＦ１２を表示する。また、例えば、表示装置１０−１は、監視者Ａ５に対応する特定情報として、監視者Ａ５の顔写真や名前（図中では監視者Ａ５と表記）や許可番号や有効期限等を含む特定情報ＩＮＦ１３を表示する。
【００４７】
このように、図２に示す表示態様においては、表示装置１０−１は、バス２０−１を遠隔監視する対応中監視者に、監視者Ａ１、Ａ２、Ａ５等がなり得ることを示す情報を表示する。これにより、バス２０−１の利用者は、バス２０−１がどのような監視者により監視され得るかを確認可能となる。
【００４８】
また、表示装置１０−１は、複数の特定情報ＩＮＦ１１〜ＩＮＦ１３のうち、バス２０−１を遠隔監視中の監視者である対応中監視者を識別可能な表示態様で複数の特定情報ＩＮＦ１１〜ＩＮＦ１３を表示する。図２の例では、表示装置１０−１は、複数の監視者のうち、対応中監視者を明示する明示情報ＭＫ１１を、複数の特定情報とともに表示する。例えば、表示装置１０−１は、対応中監視者を明示する明示情報ＭＫ１１を、対応中監視者に対応する特定情報ＩＮＦ１１の近傍に表示する。具体的には、表示装置１０−１は、対応中監視者を明示する明示情報ＭＫ１１を、対応中監視者である監視者Ａ１の特定情報ＩＮＦ１１の左隣りに表示する。また、表示装置１０は、対応中監視者が複数の場合、各対応中監視者に対応する明示情報を表示してもよい。
【００４９】
このように、表示装置１０は、特定情報ＩＮＦ１１に対応する位置に明示情報ＭＫ１１を表示し、バス２０−１の対応中監視者が監視者Ａ１であることを明示することにより、遠隔監視される移動体の監視者を移動体内において適切に確認可能にすることができる。なお、対応中監視者を明示する明示情報の表示位置は、対応中監視者に対応する特定情報であることが識別可能な位置であればどのような位置であってもよい。例えば、表示装置１０は、対応中監視者に対応する特定情報を囲む枠線を明示情報として表示してもよい。また、例えば、表示装置１０は、対応中監視者に対応する特定情報に付す下線を明示情報として表示してもよい。
【００５０】
（１−４．他の表示態様）
また、バス２０を監視する監視者の候補となる複数の監視者の各々に対応する複数の特定情報を一覧表示する場合、表示装置１０は、対応中監視者に対応する特定情報を他の監視者に対応する特定情報とは異なる表示態様で表示してもよい。例えば、表示装置１０は、対応中監視者に対応する特定情報の表示サイズを他の監視者に対応する特定情報の表示サイズよりも大きくしてもよい。例えば、表示装置１０は、対応中監視者に対応する特定情報の色と他の監視者に対応する特定情報の色とを異ならせてよい。例えば、表示装置１０は、対応中監視者に対応する特定情報を他の監視者に対応する特定情報よりも目立つように表示してよい。例えば、表示装置１０は、他の監視者に対応する特定情報を対応中監視者に対応する特定情報の色よりも明度が低い色で表示してよい。例えば、表示装置１０は、対応中監視者に対応する特定情報を赤色で表示し、他の監視者に対応する特定情報を黒色で表示してよい。例えば、表示装置１０は、対応中監視者に対応する特定情報を点滅表示してよい。
【００５１】
このように、表示装置１０は、対応中監視者を他の監視者と表示態様を異ならせ、対応中監視者を識別可能にすることにより、遠隔監視される移動体の監視者を移動体内において適切に確認可能にすることができる。なお、特定情報には、監視者に関する情報であれば、どのような情報が含まれてもよい。例えば、特定情報には、監視者が有する運転免許証に関する情報が含まれてもよい。例えば、特定情報に通常公開するべきでない情報が含まれる場合、通常表示時には、表示装置１０は、通常公開するべきでない情報は非表示としてもよい。例えば、特定情報に運転免許証に関する情報が含まれる場合、通常表示時には、表示装置１０は、免許証番号は非表示としてもよい。この場合、表示装置１０は、通常は免許証番号を非表示としておき、有事の際（所定の事象が発生した場合）に、免許証番号を表示してもよい。例えば、表示装置１０は、通常は免許証番号を非表示としておき、警察の確認時等に、免許証番号を表示してもよい。なお、表示装置１０は、決定装置１００からの指示に応じて処理を行ってもよい。
【００５２】
〔２．表示装置の構成〕
次に、図４を用いて、実施形態に係る表示装置１０の構成について説明する。図４は、実施形態に係る表示装置の構成例を示す図である。図４に示すように、表示装置１０は、通信部１１と、記憶部１２と、入力部１３と、出力部１４と、制御部１５とを有する。
【００５３】
（通信部１１）
通信部１１は、例えば、通信回路やＮＩＣ（Network  Interface  Card）等によって実現される。そして、通信部１１は、ネットワークＮと有線または無線で接続され、決定装置１００との間で情報の送受信を行う。また、通信部１１は、バス２０や端末装置５０や決定装置１００等との間で情報の送受信を行ってもよい。
【００５４】
（記憶部１２）
記憶部１２は、例えば、ＲＡＭ（Random  Access  Memory）、フラッシュメモリ（Flash  Memory）等の半導体メモリ素子、または、ハードディスク、光ディスク等の記憶装置によって実現される。記憶部１２は、例えば、表示装置１０にインストールされているアプリケーションに関する情報、例えばプログラム（表示プログラム）等を記憶する。
【００５５】
また、記憶部１２は、決定装置１００の記憶部１２０に記憶される情報を記憶してもよい。例えば、記憶部１２は、移動体情報記憶部１２１（図６参照）や監視者情報記憶部１２２（図７参照）や監視対応情報記憶部１２３（図８参照）等に示す情報を記憶してもよい。例えば、記憶部１２は、表示装置１０が配置されるバス２０に対応する情報を記憶してもよい。例えば、バス２０−１に配置される表示装置１０−１の場合、表示装置１０−１の記憶部１２は、決定装置１００の記憶部１２０に記憶される情報のうち、バス２０−１に対応する情報を記憶してもよい。
【００５６】
例えば、記憶部１２は、表示部１５３により表示される各種情報を記憶してもよい。例えば、記憶部１２は、特定情報や明示情報等を記憶してもよい。例えば、記憶部１２は、表示装置１０が配置されるバス２０の監視者となり得る監視者の顔写真や業務経歴等に関する情報を記憶してもよい。
【００５７】
（入力部１３）
入力部１３は、ユーザからの各種操作を取得する。例えば、入力部１３は、タッチパネル機能により表示面（例えば表示部１５３）を介してユーザからの各種操作を受け付けてもよい。また、入力部１３は、表示装置１０に設けられたボタンや、表示装置１０に接続されたキーボードやマウスからの各種操作を受け付けてもよい。
【００５８】
（出力部１４）
出力部１４は、例えば液晶ディスプレイや有機ＥＬ（Electro-Luminescence）ディスプレイ等によって実現されるスマートフォンやタブレット型端末等の表示画面であり、各種情報を表示するための表示手段である。例えば、出力部１４は、表示部１５３からの指示に応じて種々の情報を出力（表示）する。
【００５９】
（制御部１５）
制御部１５は、コントローラ（controller）であり、例えば、ＣＰＵ（Central  Processing  Unit）やＭＰＵ（Micro  Processing  Unit）等によって、表示装置１０内部の記憶部１２などの記憶装置に記憶されている各種プログラムがＲＡＭを作業領域として実行されることにより実現される。例えば、この各種プログラムには、インストールされているアプリケーションのプログラムが含まれる。また、制御部１５は、コントローラ（controller）であり、例えば、ＡＳＩＣ（Application  Specific  Integrated  Circuit）やＦＰＧＡ（Field  Programmable  Gate  Array）等の集積回路により実現される。
【００６０】
図４に示すように、制御部１５は、送信部１５１と、受信部１５２と、表示部１５３とを有し、以下に説明する表示処理の機能や作用を実現または実行する。なお、制御部１５の内部構成は、図４に示した構成に限られず、後述する表示処理を行う構成であれば他の構成であってもよい。また、制御部１５が有する各処理部の接続関係は、図４に示した接続関係に限られず、他の接続関係であってもよい。
【００６１】
（送信部１５１）
送信部１５１は、各種情報を送信する。例えば、送信部１５１は、外部の情報処理装置に対して各種情報を送信する。例えば、送信部１５１は、入力部１３により取得した操作に従って、バス２０や端末装置５０や決定装置１００へ各種要求を送信する。例えば、送信部１５１は、所定のタイミングで決定装置１００へ対応中監視者に関する情報を要求してもよい。
【００６２】
（受信部１５２）
受信部１５２は、外部の情報処理装置から各種情報を受信する。例えば、受信部１５２は、バス２０や端末装置５０や決定装置１００から各種情報を受信する。例えば、受信部１５２は、決定装置１００から移動体を遠隔監視する対応中監視者の特定情報を受信する。例えば、受信部１５２は、決定装置１００から表示に関する指示を受信する。例えば、表示部１５３は、決定装置１００の決定部１３３による決定に応じた表示に関する指示を受信する。
【００６３】
例えば、受信部１５２は、移動体を遠隔監視する監視者を特定する特定情報を受信する。例えば、受信部１５２は、移動体を監視する監視者の候補となる複数の監視者の各々に対応する複数の特定情報のうち、移動体を遠隔監視中の監視者である対応中監視者に対応する特定情報を受信する。例えば、受信部１５２は、対応中監視者の変更に応じて、特定情報を受信する。例えば、受信部１５２は、対応中監視者の一の監視者から他の監視者への変更に応じて、他の監視者に対応する特定情報を受信する。例えば、受信部１５２は、移動体を監視する監視者の候補となる複数の監視者の各々に対応する複数の特定情報を受信する。例えば、受信部１５２は、対応中監視者を明示する明示情報を受信する。
【００６４】
例えば、受信部１５２は、対応中監視者が変更されたことを示す情報を受信する。例えば、受信部１５２は、対応中監視者が監視者Ａ１から監視者Ａ２に変更されたことを示す情報を受信する。例えば、受信部１５２は、対応中監視者に対応する特定情報を受信してもよい。
【００６５】
（表示部１５３）
表示部１５３は、各種情報を表示する。例えば、表示部１５３は、決定装置１００の決定部１３３による決定に応じて、各種情報を表示する。例えば、表示部１５３は、決定装置１００から受信した情報に基づいて、各種情報を表示する。例えば、表示部１５３は、決定装置１００の決定部１３３による決定に応じて、各種情報を表示する。例えば、表示部１５３は、出力部１４を介して各種情報を表示する。例えば、表示部１５３は、各種情報を出力部１４に表示させる。例えば、表示部１５３は、受信部１５２により受信された各種情報を表示する。例えば、表示部１５３は、決定装置１００から受信した各種情報を表示する。例えば、表示部１５３は、移動体を遠隔監視する監視者を特定する特定情報を表示する。例えば、表示部１５３は、移動体を監視する監視者の候補となる複数の監視者の各々に対応する複数の特定情報のうち、移動体を遠隔監視中の監視者である対応中監視者に対応する特定情報を表示する。
【００６６】
例えば、表示部１５３は、対応中監視者の変更に応じて、表示中の特定情報を変更する。例えば、表示部１５３は、対応中監視者の一の監視者から他の監視者への変更に応じて、表示中の特定情報を一の監視者に対応する特定情報から他の監視者に対応する特定情報に変更する。
【００６７】
例えば、表示部１５３は、移動体を監視する監視者の候補となる複数の監視者の各々に対応する複数の特定情報を一覧表示する。例えば、表示部１５３は、複数の特定情報のうち、移動体を遠隔監視中の監視者である対応中監視者を識別可能な表示態様で複数の特定情報を表示する。例えば、表示部１５３は、対応中監視者を明示する明示情報を、対応中監視者に対応する特定情報の近傍に表示する。
【００６８】
例えば、表示部１５３は、対応中監視者に対応する特定情報を他の監視者に対応する特定情報とは異なる表示態様で表示する。例えば、表示部１５３は、対応中監視者に対応する特定情報の表示サイズを他の監視者に対応する特定情報の表示サイズよりも大きくする。例えば、表示部１５３は、対応中監視者に対応する特定情報の色と他の監視者に対応する特定情報の色とを異ならせる。例えば、表示部１５３は、対応中監視者に対応する特定情報を点滅表示する。
【００６９】
図１の例では、表示部１５３は、バス２０−１の対応中監視者が監視者Ａ１であることを示す特定情報ＩＮＦ１を表示する。例えば、表示部１５３は、監視者Ａ１の顔写真や名前（図中では監視者Ａ１と表記）や事業者名等を含む特定情報ＩＮＦ１を表示する。
【００７０】
図２の例では、表示部１５３は、バス２０−１を監視する監視者の候補となる複数の監視者の各々に対応する複数の特定情報ＩＮＦ１１〜ＩＮＦ１３を一覧表示する。例えば、表示部１５３は、監視者Ａ１に対応する特定情報として、監視者Ａ１の顔写真や名前（図中では監視者Ａ１と表記）や許可番号や有効期限等を含む特定情報ＩＮＦ１１を表示する。例えば、表示部１５３は、監視者Ａ２に対応する特定情報として、監視者Ａ２の顔写真や名前（図中では監視者Ａ２と表記）や許可番号や有効期限等を含む特定情報ＩＮＦ１２を表示する。例えば、表示部１５３は、監視者Ａ５に対応する特定情報として、監視者Ａ５の顔写真や名前（図中では監視者Ａ５と表記）や許可番号や有効期限等を含む特定情報ＩＮＦ１３を表示する。
【００７１】
また、図２の例では、表示部１５３は、複数の特定情報ＩＮＦ１１〜ＩＮＦ１３のうち、バス２０−１を遠隔監視中の監視者である対応中監視者を識別可能な表示態様で複数の特定情報ＩＮＦ１１〜ＩＮＦ１３を表示する。例えば、表示部１５３は、複数の監視者のうち、対応中監視者を明示する明示情報ＭＫ１１を、複数の特定情報とともに表示する。例えば、表示部１５３は、対応中監視者を明示する明示情報ＭＫ１１を、対応中監視者に対応する特定情報ＩＮＦ１１の近傍に表示する。例えば、表示部１５３は、対応中監視者を明示する明示情報ＭＫ１１を、対応中監視者である監視者Ａ１の特定情報ＩＮＦ１１の左隣りに表示する。
【００７２】
なお、上述した制御部１５による表示処理等の処理は、例えば、ＪａｖａＳｃｒｉｐｔ（登録商標）などにより実現されてもよい。また、上述した表示処理が所定のアプリケーションにより行われる場合や表示処理が専用アプリにより行われる場合、制御部１５は、例えば、所定のアプリや専用アプリを制御するアプリ制御部を有してもよい。
【００７３】
〔３．決定装置の構成〕
次に、図５を用いて、実施形態に係る決定装置１００の構成について説明する。図５は、実施形態に係る決定装置の構成例を示す図である。図５に示すように、決定装置１００は、通信部１１０と、記憶部１２０と、制御部１３０とを有する。なお、決定装置１００は、決定装置１００の管理者等から各種操作を受け付ける入力部（例えば、キーボードやマウス等）や、各種情報を表示するための表示部（例えば、液晶ディスプレイ等）を有してもよい。
【００７４】
（通信部１１０）
通信部１１０は、例えば、通信回路やＮＩＣ等によって実現される。そして、通信部１１０は、ネットワークＮと有線または無線で接続され、端末装置５０やバス２０との間で情報の送受信を行う。
【００７５】
（記憶部１２０）
記憶部１２０は、例えば、ＲＡＭ、フラッシュメモリ等の半導体メモリ素子、または、ハードディスク、光ディスク等の記憶装置によって実現される。実施形態に係る記憶部１２０は、図５に示すように、移動体情報記憶部１２１と、監視者情報記憶部１２２と、監視対応情報記憶部１２３とを有する。なお、記憶部１２０には、決定システム１における各監視者に関する特定情報が記憶されてもよい。例えば、決定装置１００は、各バス２０に配置された表示装置１０へ、各バス２０の監視者に関する特定情報を送信し、表示装置１０に表示させてもよい。
【００７６】
（移動体情報記憶部１２１）
実施形態に係る移動体情報記憶部１２１は、移動体に関する各種情報を記憶する。例えば、移動体情報記憶部１２１は、移動体に関する各種情報を記憶する。図６は、実施形態に係る移動体情報記憶部の一例を示す図である。図６に示す移動体情報記憶部１２１は、「バスＩＤ」、「最新位置」、「動画像」、「音声」、「運行経路」、「運行エリア」といった項目が含まれる。
【００７７】
「バスＩＤ」は、遠隔監視される移動体であるバスを識別するための識別情報を示す。例えば、バスＩＤ「２０−１」により識別されるバスは、図１中のバス２０−１に対応する。また、「最新位置」は、バスＩＤにより識別されるバスの最新の位置情報を示す。なお、図６に示す例では、「最新位置」は、「位置ＬＣ１１」といった抽象的な符号を図示するが、緯度や経度を示す情報であってもよい。
【００７８】
また、「動画像」は、バスから取得した動画像（単に「動画」ともいう）を示す。図６では「動画像」に「動画像ＭＶ１１」といった概念的な情報が格納される例を示したが、実際には、動画情報、または、その格納場所を示すファイルパス名などが格納される。
【００７９】
また、「音声」は、バスから取得した音声情報（単に「音声」ともいう）を示す。図６では「音声」に「音声ＡＤ１１」といった概念的な情報が格納される例を示したが、実際には、音声情報、または、その格納場所を示すファイルパス名などが格納される。
【００８０】
また、「運行経路」は、バスＩＤにより識別されるバスの運行経路を示す。例えば、「運行経路」は、バスＩＤにより識別されるバスが自動運転により運行する経路を示す。なお、図６に示す例では、「運行経路」は、「経路Ｒ１１」といった抽象的な符号を図示するが、通行する道路や停止するバス停等の緯度や経度を示す情報であってもよい。また、「運行エリア」は、バスＩＤにより識別されるバスの運行エリアを示す。例えば、「運行エリア」は、バスＩＤにより識別されるバスが自動運転により運行するエリアを示す。なお、図６に示す例では、「運行エリア」は、「エリアＡ」といった抽象的な符号を図示するが、「○○市」や「××区」等の具体的な地域名等を示す情報であってもよい。
【００８１】
図６の例では、バスＩＤ「２０−１」により識別されるバスの最新位置は、「位置ＬＣ１１」であることを示す。また、バスＩＤ「２０−１」により識別されるバスの動画像は、「動画像ＭＶ１１」であることを示す。また、バスＩＤ「２０−１」により識別されるバスの音声は、「音声ＡＤ１１」であることを示す。また、バスＩＤ「２０−１」により識別されるバスの運行経路は、「経路Ｒ１１」であることを示す。また、バスＩＤ「２０−１」により識別されるバスの運行エリアは、「エリアＡ」であることを示す。
【００８２】
なお、移動体情報記憶部１２１は、上記に限らず、目的に応じて種々の情報を記憶してもよい。
【００８３】
（監視者情報記憶部１２２）
実施形態に係る監視者情報記憶部１２２は、監視者に関する各種情報を記憶する。図７は、実施形態に係る監視者情報記憶部の一例を示す図である。例えば、監視者情報記憶部１２２は、監視者に関する各種情報を記憶する。図７に示す監視者情報記憶部１２２は、「監視者ＩＤ」、「状況」、「業務時間情報」、「業務スキル」、「最大監視台数」といった項目が含まれる。
【００８４】
「監視者ＩＤ」は、自動運転で移動するバスを遠隔監視する監視者を識別するための識別情報を示す。例えば、監視者ＩＤ「Ａ１」により識別される監視者は、図１中の端末装置５０−１を利用する監視者Ａ１に対応する。「状況」は、監視者ＩＤにより識別される監視者の業務状況を示す。
【００８５】
また、「業務時間情報」は、監視者ＩＤにより識別される監視者の業務時間を示す。なお、図７に示す例では、「業務時間情報」は、「業務時間ＳＦ１１」といった抽象的な符号を図示するが、「平日９時〜１７時」等の具体的な業務時間を示す情報であってもよい。
【００８６】
また、「業務スキル」は、監視者ＩＤにより識別される監視者の業務に関するスキルを示す。図７では「業務スキル」に「スキルＳＫ１１（勤続５年）」といった抽象的な符号と勤続年数を図示するが、「業務スキル」には、勤続年数に限らず、対応可能な障害の種別等が含まれてもよい。
【００８７】
また、「最大監視台数」は、監視者ＩＤにより識別される監視者が同時に遠隔監視可能な移動体の台数を示す。なお、各監視者の最大監視台数は、各監視者の勤続年数等の業務経験や個人の能力に応じて決定されてもよい。
【００８８】
図７の例では、監視者ＩＤ「Ａ１」により識別される監視者の状況は、「勤務中」であることを示す。また、監視者ＩＤ「Ａ１」により識別される監視者の業務時間情報は、「業務時間ＳＦ１１」であることを示す。また、監視者ＩＤ「Ａ１」により識別される監視者の業務スキルは、「スキルＳＫ１１（勤続５年）」であることを示す。また、監視者ＩＤ「Ａ１」により識別される監視者の最大監視台数は、「５台」であることを示す。
【００８９】
なお、監視者情報記憶部１２２は、上記に限らず、目的に応じて種々の情報を記憶してもよい。
【００９０】
（監視対応情報記憶部１２３）
実施形態に係る監視対応情報記憶部１２３は、監視者と遠隔監視対象であるバスとの対応付けに関する各種情報を記憶する。図８は、実施形態に係る監視対応情報記憶部の一例を示す図である。例えば、監視対応情報記憶部１２３は、監視者と遠隔監視対象であるバスとの対応付けやバスの状態（ステータス）等に関する各種情報を記憶する。図８に示す監視対応情報記憶部１２３には、「監視者ＩＤ」、「監視対象」といった項目が含まれる。また、「監視対象」には、「バスＩＤ」、「ステータス」といった項目が含まれる。
【００９１】
「監視者ＩＤ」は、自動運転で移動するバスを遠隔監視する監視者を識別するための識別情報を示す。「監視対象」は、監視対象となるバスの各種情報が含まれる。「バスＩＤ」は、遠隔監視される移動体であるバスを識別するための識別情報を示す。「ステータス」は、バスＩＤにより識別されるバスの状態（ステータス）を示す。
【００９２】
図８の例では、監視者ＩＤ「Ａ１」により識別される監視者は、バスＩＤ「２０−１」により識別されるバス、バスＩＤ「２０−２」により識別されるバス、及びバスＩＤ「２０−３」により識別されるバスの３台のバスを遠隔監視中であることを示す。すなわち、監視者Ａ１は、バス２０−１〜２０−３の３台のバスを遠隔監視中であることを示す。また、バスＩＤ「２０−１」により識別されるバスのステータスは、「通常」であることを示す。例えば、ステータス「通常」は、対応するバスが定常通り運行中であることを示す。また、バスＩＤ「２０−２」により識別されるバスのステータスは、「通常」であることを示す。また、バスＩＤ「２０−３」により識別されるバスのステータスは、「通常」であることを示す。
【００９３】
図８の例では、監視者ＩＤ「Ａ５」により識別される監視者は、バスＩＤ「２０−１５」により識別されるバスのみを遠隔監視中であることを示す。すなわち、監視者Ａ５は、バス２０−１５の１台のバスを遠隔監視中であることを示す。また、バスＩＤ「２０−１５」により識別されるバスのステータスは、「事象発生」であることを示す。例えば、ステータス「事象発生」は、対応するバスに所定の事象が発生していることを示す。すなわち、図８の例では、監視者Ａ５は、バス２０−１５に故障等の所定の事象が発生したため、バス２０−１５の１台のみを対応中であることを示す。
【００９４】
なお、監視対応情報記憶部１２３は、上記に限らず、目的に応じて種々の情報を記憶してもよい。例えば、ステータスには、「事象発生」に限らず、事象に応じて複数の種別が含まれてもよい。例えば、ステータスは、各事象に対応する「緊急車両接近」や「故障」や「異音発生」や「障害物有」等のより詳細な内容であってもよい。
【００９５】
（制御部１３０）
図５の説明に戻って、制御部１３０は、コントローラ（controller）であり、例えば、ＣＰＵやＭＰＵ等によって、決定装置１００内部の記憶装置に記憶されている各種プログラム（決定プログラムの一例に相当）がＲＡＭを作業領域として実行されることにより実現される。また、制御部１３０は、コントローラ（controller）であり、例えば、ＡＳＩＣやＦＰＧＡ等の集積回路により実現される。
【００９６】
図５に示すように、制御部１３０は、取得部１３１と、判定部１３２と、決定部１３３と、送信部１３４とを有し、以下に説明する情報処理の機能や作用を実現または実行する。なお、制御部１３０の内部構成は、図５に示した構成に限られず、後述する情報処理を行う構成であれば他の構成であってもよい。
【００９７】
（取得部１３１）
取得部１３１は、各種情報を取得する。例えば、取得部１３１は、外部装置から各種情報を取得する。例えば、取得部１３１は、端末装置５０から各種情報を取得する。例えば、取得部１３１は、バス２０から各種情報を取得する。例えば、取得部１３１は、移動体情報記憶部１２１や、監視者情報記憶部１２２や、監視対応情報記憶部１２３等に示す各種情報を、外部の情報処理装置から取得してもよい。
【００９８】
例えば、取得部１３１は、記憶部１２０から各種情報を取得する。例えば、取得部１３１は、移動体情報記憶部１２１や、監視者情報記憶部１２２や、監視対応情報記憶部１２３等から各種情報を取得する。
【００９９】
例えば、取得部１３１は、自動運転により動作する複数の移動体を遠隔監視する一の監視者に関する情報を取得する。例えば、取得部１３１は、自動運転により道路を走行する複数の車両を遠隔監視する一の監視者に関する情報を取得する。例えば、取得部１３１は、端末装置５０から監視者に関する情報を取得する。例えば、取得部１３１は、端末装置５０−１から、監視者Ａ１が全監視対象の監視が困難になることを示す情報を取得する。例えば、取得部１３１は、端末装置５０−１が撮像した端末装置５０−１の画面側の画像を取得する。
【０１００】
例えば、取得部１３１は、監視者が遠隔監視する複数の移動体であって、自動運転により動作する複数の移動体に関する情報を取得する。例えば、取得部１３１は、一の監視者が遠隔監視する複数の移動体であって、自動運転により動作する複数の移動体の遠隔監視に関する情報を取得する。例えば、取得部１３１は、端末装置５０から移動体に関する情報を取得する。例えば、取得部１３１は、監視者Ａ１が利用する端末装置５０−１からバス２０−１に所定の事象が発生していることを示す情報を取得する。また、例えば、取得部１３１は、バス２０から、バス２０の対象情報を取得してもよい。例えば、取得部１３１は、バス２０の対象情報として、バス２０において検知された動画像や音声等の種々の情報を取得してもよい。
【０１０１】
図９の例では、例えば、取得部１３１は、バス２０の対象情報を取得する。例えば、取得部１３１は、バス２０において検知された動画像や音声等の種々の情報を取得する。例えば、取得部１３１は、端末装置５０−１からバス２０−１に所定の事象が発生していることを示す情報を取得する。
【０１０２】
図１０の例では、例えば、取得部１３１は、端末装置５０−１から監視者Ａ１が全監視対象の監視が困難になることを示す情報を取得する。例えば、取得部１３１は、端末装置５０−１が撮像する端末装置５０−１の画面側の画像を取得する。
【０１０３】
（判定部１３２）
判定部１３２は、各種情報を判定する。例えば、判定部１３２は、取得部１３１により外部装置から取得された各種情報に基づいて、各種情報を判定する。例えば、判定部１３２は、端末装置５０から取得された各種情報に基づいて、各種情報を判定する。例えば、判定部１３２は、バス２０から取得された各種情報に基づいて、各種情報を判定する。例えば、判定部１３２は、記憶部１２０に記憶された情報に基づいて、各種情報を判定する。例えば、判定部１３２は、移動体情報記憶部１２１や、監視者情報記憶部１２２や、監視対応情報記憶部１２３等に記憶された情報に基づいて、各種情報を判定する。
【０１０４】
例えば、判定部１３２は、取得部１３１により取得された一の監視者に関する情報に基づいて、一の監視者の監視状況が所定の条件を満たすかどうかを判定する。例えば、判定部１３２は、一の監視者が複数の移動体を監視することが困難な状況になったかどうかを判定する。例えば、判定部１３２は、一の監視者に関する情報に基づく一の監視者の監視状況が所定の条件を満たすかどうかを判定する。
【０１０５】
例えば、判定部１３２は、所定の移動体への一の監視者による対応が発生したかどうかを判定する。例えば、判定部１３２は、複数の移動体に含まれる所定の移動体への一の監視者による対応が発生したかどうかを判定する。
【０１０６】
例えば、判定部１３２は、複数の移動体の監視における一の監視者の負荷が所定の基準を満たすかどうかを判定する。例えば、判定部１３２は、複数の移動体の監視における一の監視者の負荷が所定の閾値以上であるかどうかを判定する。例えば、判定部１３２は、複数の移動体の監視における一の監視者の負荷が所定の閾値未満となったかどうかを判定する。
【０１０７】
例えば、判定部１３２は、一の監視者が複数の移動体を監視することが困難な状況になったかどうかを判定する。例えば、判定部１３２は、一の監視者が複数の移動体を監視するための表示装置を視認不可能な状況になったかどうかを判定する。例えば、判定部１３２は、一の監視者が複数の移動体の監視を行う席から離れたかどうかを判定する。
【０１０８】
例えば、判定部１３２は、取得部１３１により取得された複数の移動体に関する情報に基づいて、当該複数の移動体の状況が所定の条件を満たすかどうかを判定する。例えば、判定部１３２は、複数の移動体のうち、一の移動体において所定の事象が発生したかどうかを判定する。
【０１０９】
例えば、判定部１３２は、一の移動体の移動を妨げる事象が発生したかどうかを判定する。例えば、判定部１３２は、一の移動体における不具合が発生したかどうかを判定する。例えば、判定部１３２は、一の移動体の進行方向において障害が発生したかどうかを判定する。
【０１１０】
例えば、判定部１３２は、取得部１３１により取得された遠隔監視に関する情報に基づいて、複数の移動体を監視する監視者を変更するタイミングかどうかを判定する。例えば、判定部１３２は、複数の移動体のうち一の移動体の状況が所定の条件を満たすかどうかを判定する。
【０１１１】
図９の例では、判定部１３２は、端末装置５０−１から取得した移動体に関する情報に基づいて、移動体が所定の条件を満たすかどうかを判定する。例えば、判定部１３２は、端末装置５０−１から取得するバス２０−１に所定の事象が発生していることを示す情報に基づいて、バス２０−１に所定の事象が発生したと判定してもよい。また、例えば、判定部１３２は、端末装置５０−１から取得するバス２０−１に所定の事象が発生していることを示す情報に基づいて、バス２０−１が所定の条件を満たすと判定してもよい。
【０１１２】
図１０の例では、判定部１３２は、端末装置５０−１が撮像する端末装置５０−１の画面側の画像に基づいて、監視者Ａ１が端末装置５０−１から離れたと判定する。例えば、判定部１３２は、端末装置５０−１から取得した画像を解析することにより、監視者Ａ１が端末装置５０−１から離れたと判定する。また、例えば、判定部１３２は、監視者Ａ１の位置情報等に基づいて、監視者Ａ１が端末装置５０−１から離れたと判定する。また、例えば、判定部１３２は、監視者Ａ１が端末装置５０−１から離れたと判定することにより、全監視対象の監視が困難になったと判定してもよい。例えば、判定部１３２は、監視者Ａ１と端末装置５０−１との位置関係を把握可能であれば、どのような情報に基づいて、監視者Ａ１により監視が困難になったかを判定してもよい。
【０１１３】
（決定部１３３）
決定部１３３は、各種情報を決定する。例えば、決定部１３３は、取得部１３１により外部装置から取得された各種情報に基づいて、各種情報を決定する。例えば、決定部１３３は、端末装置５０から取得された各種情報に基づいて、各種情報を決定する。例えば、決定部１３３は、バス２０から取得された各種情報に基づいて、各種情報を決定する。例えば、決定部１３３は、記憶部１２０に記憶された情報に基づいて、各種情報を決定する。例えば、決定部１３３は、移動体情報記憶部１２１や、監視者情報記憶部１２２や、監視対応情報記憶部１２３等に記憶された情報に基づいて、各種情報を決定する。また、決定部１３３は、判定部１３２による判定に基づいて、各種情報を決定する。
【０１１４】
例えば、決定部１３３は、取得部１３１により取得された一の監視者に関する情報に基づいて、一の監視者の監視状況が所定の条件を満たすかどうかに応じて、複数の移動体の自動運転に関する態様を決定する。例えば、決定部１３３は、一の監視者が複数の移動体を監視することが困難な状況になった場合、複数の移動体のうち、一部の移動体の自動運転に関する態様を変更すると決定する。例えば、決定部１３３は、一の監視者に関する情報に基づく一の監視者の監視状況が所定の条件を満たすかどうかの判定に応じて、複数の移動体の自動運転に関する態様を決定する。
【０１１５】
例えば、決定部１３３は、所定の移動体への一の監視者による対応が発生した場合、複数の移動体のうち、一部の移動体の自動運転に関する態様を変更すると決定する。例えば、決定部１３３は、複数の移動体に含まれる所定の移動体への一の監視者による対応が発生した場合、複数の移動体のうち、一部の移動体の自動運転に関する態様を変更すると決定する。
【０１１６】
例えば、決定部１３３は、複数の移動体の監視における一の監視者の負荷が所定の基準を満たすように、一部の移動体の自動運転に関する態様を変更すると決定する。例えば、決定部１３３は、複数の移動体の監視における一の監視者の負荷が他の監視者と平均化するように、一部の移動体の自動運転に関する態様を変更すると決定する。例えば、決定部１３３は、複数の移動体の監視における一の監視者の負荷が所定の閾値以上である場合、一部の移動体の自動運転に関する態様を変更すると決定する。例えば、決定部１３３は、複数の移動体の監視における一の監視者の負荷が所定の閾値未満となるように、一部の移動体の自動運転に関する態様を変更すると決定する。
【０１１７】
例えば、決定部１３３は、一部の移動体以外の移動体の監視者を一の監視者から他の監視者に変更するか、または、一部の移動体以外の移動体の動作を停止させると決定する。例えば、決定部１３３は、一の監視者が複数の移動体を監視することが困難な状況になった場合、複数の移動体の自動運転に関する態様を変更すると決定する。
【０１１８】
例えば、決定部１３３は、一の監視者が複数の移動体を監視するための表示装置（端末装置１０）を視認不可能な状況になった場合、複数の移動体の監視者を一の監視者から他の監視者に変更するか、または、複数の移動体の動作を停止させると決定する。例えば、決定部１３３は、一の監視者が複数の移動体の監視を行う席から離れた場合、複数の移動体の監視者を一の監視者から他の監視者に変更するか、または、複数の移動体の動作を停止させると決定する。
【０１１９】
例えば、決定部１３３は、取得部１３１により取得された複数の移動体に関する情報に基づいて、当該複数の移動体の状況が所定の条件を満たす場合、複数の移動体の自動運転に関する態様を決定する。例えば、決定部１３３は、複数の移動体のうち、一の移動体において所定の事象が発生した場合、複数の移動体のうち、一の移動体の自動運転に関する態様を変更すると決定する。
【０１２０】
例えば、決定部１３３は、一の移動体の移動を妨げる事象が発生した場合、複数の移動体のうち、一の移動体の自動運転に関する態様を変更すると決定する。例えば、決定部１３３は、一の移動体における不具合が発生した場合、複数の移動体のうち、一の移動体の自動運転に関する態様を変更すると決定する。例えば、決定部１３３は、一の移動体の進行方向において障害が発生した場合、複数の移動体のうち、一の移動体の自動運転に関する態様を変更すると決定する。
【０１２１】
例えば、決定部１３３は、複数の移動体のうち、一の移動体以外の移動体の自動運転に関する態様を変更すると決定する。例えば、決定部１３３は、一の移動体以外の移動体の監視者を他の監視者に変更するか、または、一の移動体以外の移動体の動作を停止させると決定する。例えば、決定部１３３は、一の移動体の自動運転に関する態様を変更すると決定する。例えば、決定部１３３は、一の移動体の自動運転に関する態様を変更するか、または、一の移動体の動作を停止させると決定する。
【０１２２】
例えば、決定部１３３は、取得部１３１により取得された遠隔監視に関する情報に基づいて、複数の移動体を監視する監視者を変更するタイミングを決定する。例えば、決定部１３３は、複数の移動体のうち一の移動体の状況が所定の条件を満たすタイミングに基づいて、複数の移動体を監視する監視者を変更すると決定する。
【０１２３】
例えば、決定部１３３は、一の移動体が停止したタイミングに基づいて、複数の移動体を監視する監視者を変更すると決定する。例えば、決定部１３３は、一の移動体が停止したタイミングで、複数の移動体を監視する監視者を変更すると決定する。例えば、決定部１３３は、一の移動体が停止してから所定の時間が経過したタイミングで、複数の移動体を監視する監視者を変更すると決定する。
【０１２４】
例えば、決定部１３３は、タイミングに基づいて、一の移動体を監視する監視者を変更すると決定する。例えば、決定部１３３は、タイミングに基づいて、複数の移動体のうち、一の移動体以外の移動体を監視する監視者を変更すると決定する。例えば、決定部１３３は、一の移動体が一の監視者を含む複数の監視者により遠隔監視される場合、タイミングに基づいて、一の移動体を監視する監視者を変更すると決定する。
【０１２５】
例えば、決定部１３３は、一の移動体が一の監視者を含む複数の監視者により遠隔監視される場合、タイミングに基づいて、一の移動体を監視する一の監視者を変更すると決定する。例えば、決定部１３３は、一の移動体が一の監視者を含む複数の監視者により遠隔監視される場合、タイミングに基づいて、一の移動体を監視する複数の監視者から一の監視者を除外すると決定する。例えば、決定部１３３は、一の移動体が一の監視者を含む複数の監視者により遠隔監視される場合、タイミングに基づいて、一の移動体を監視する複数の監視者のうち、一の監視者を他の監視者に変更すると決定する。
【０１２６】
図９の例では、決定部１３３は、所定の事象が発生したバス２０−１を遠隔監視している監視者Ａ１の監視対象のうち、バス２０−１以外のバス２０の監視者を他の監視者へ変更すると決定する。例えば、決定部１３３は、監視者Ａ１の監視対象であるバス２０−１〜２０−３のうち、バス２０−２、２０−３の監視者を監視者Ａ２へ変更すると決定する。例えば、決定部１３３は、バス２０−１が所定の条件を満たすと判定したタイミングで、監視者Ａ１の監視対象のうち、バス２０−１以外のバス２０の監視者を変更すると決定する。そして、決定部１３３は、監視者Ａ１の監視対象であるバス２０−２、２０−３の監視者を監視者Ａ２へ変更する。図９の例では、地図情報ＭＰ１１−２に示すように、決定部１３３は、各監視者Ａ１、Ａ２の監視対象を変更することにより、複数の移動体の自動運転に関する態様を決定する。
【０１２７】
図１０の例では、決定部１３３は、全監視対象の監視が困難になった監視者Ａ１の監視対象の全バス２０の監視者を他の監視者へ変更すると決定する。例えば、決定部１３３は、監視者Ａ１の監視対象であるバス２０−１〜２０−３の監視者を監視者Ａ２へ変更すると決定する。例えば、決定部１３３は、監視者Ａ１が全監視対象の監視が困難になったことを示す情報を取得したタイミングで、監視者Ａ１の監視対象のバス２０の監視者を変更すると決定する。そして、決定部１３３は、監視者Ａ１の監視対象であるバス２０−１〜２０−３の監視者を監視者Ａ２へ変更する。図１０の例では、地図情報ＭＰ１１−２に示すように、決定部１３３は、各監視者Ａ１、Ａ２の監視対象を変更することにより、複数の移動体の自動運転に関する態様を決定する。
【０１２８】
例えば、決定部１３３は、移動体に関する情報に基づいて、移動体に配置される表示装置１０に、移動体を遠隔監視する監視者を特定する特定情報を表示させると決定する。例えば、決定部１３３は、各バス２０に関する情報に基づいて、バス２０に配置される表示装置１０に、各バス２０を遠隔監視する監視者を特定する特定情報を表示させると決定する。例えば、決定部１３３は、表示装置１０における情報の表示や表示の変更等を制御するＪａｖａＳｃｒｉｐｔ（登録商標）等の制御情報を表示装置１０へ送信部１３４に送信させることにより、表示装置１０を制御する。
【０１２９】
例えば、決定部１３３は、送信部１３４に制御情報等を表示装置１０へ送信させることにより、表示装置１０における表示を制御する。例えば、決定部１３３は、バス２０の監視者の変更に応じて、表示装置１０に表示中の特定情報を変更するよう表示装置１０を制御する。例えば、決定部１３３は、バス２０の監視者が一の監視者から他の監視者への変更に応じて、表示装置１０に表示中の特定情報を一の監視者に対応する特定情報から他の監視者に対応する特定情報に変更するよう表示装置１０を制御する。例えば、決定部１３３は、バス２０を監視する監視者の候補となる複数の監視者の各々に対応する複数の特定情報のうち、バス２０を遠隔監視中の監視者に対応する特定情報を、表示装置１０に表示するよう表示装置１０を制御する。例えば、決定部１３３は、バス２０を監視する監視者の候補となる複数の監視者の各々に対応する複数の特定情報を表示装置１０に一覧表示させるよう表示装置１０を制御する。
【０１３０】
例えば、決定部１３３は、複数の特定情報のうち、バス２０を遠隔監視中の監視者である対応中監視者を識別可能な表示態様で複数の特定情報を表示装置１０に表示させるよう表示装置１０を制御する。例えば、決定部１３３は、複数の監視者のうち、対応中監視者を明示する明示情報を、複数の特定情報とともに表示装置１０に表示させるよう表示装置１０を制御する。例えば、決定部１３３は、対応中監視者を明示する明示情報を、表示装置１０における対応中監視者に対応する特定情報の近傍に表示させるよう表示装置１０を制御する。
【０１３１】
例えば、決定部１３３は、対応中監視者に対応する特定情報を他の監視者に対応する特定情報とは異なる表示態様で表示装置１０に表示させるよう表示装置１０を制御する。例えば、決定部１３３は、表示装置１０における対応中監視者に対応する特定情報の表示サイズを他の監視者に対応する特定情報の表示サイズよりも大きくするよう表示装置１０を制御する。例えば、決定部１３３は、表示装置１０における対応中監視者に対応する特定情報の色と他の監視者に対応する特定情報の色とを異ならせるよう表示装置１０を制御する。例えば、決定部１３３は、対応中監視者に対応する特定情報を表示装置１０において点滅表示させるよう表示装置１０を制御する。
【０１３２】
図１の例では、決定部１３３は、記憶部１２０に記憶された移動体に関する情報に基づいて、バス２０−１に配置される表示装置１０−１に、バス２０−１を遠隔監視する監視者Ａ１を特定する特定情報ＩＮＦ１を表示させると決定する。例えば、決定部１３３は、監視対応情報記憶部１２３（図８参照）に記憶されたバス２０−１の対応中監視者が監視者Ａ１であることを示す情報に基づいて、表示装置１０−１に、特定情報ＩＮＦ１を表示させると決定する。例えば、決定部１３３は、表示装置１０−１に、特定情報ＩＮＦ１や制御情報等を表示装置１０−１へ送信部１３４に送信させることにより、特定情報ＩＮＦ１を表示させるように表示装置１０−１を制御する。
【０１３３】
また、図１において、例えば、バス２０−１の対応中監視者が監視者Ａ１から監視者Ａ２に変更された場合、決定部１３３は、バス２０−１を遠隔監視する監視者Ａ２を特定する特定情報を表示させると決定する。このように、決定部１３３は、バス２０−１の対応中監視者に変更に応じて、表示装置１０−１に表示される特定情報を切り替えるように、表示装置１０−１を制御する。例えば、決定部１３３は、バス２０−１の対応中監視者が監視者Ａ２に変更になったことを示す情報に基づいて、表示装置１０−１に、監視者Ａ２の特定情報を表示させると決定する。例えば、決定部１３３は、表示装置１０−１に、監視者Ａ２の特定情報や制御情報等を表示装置１０−１へ送信部１３４に送信させることにより、監視者Ａ２の特定情報を表示させるように表示装置１０−１を制御する。
【０１３４】
（送信部１３４）
送信部１３４は、外部装置に各種情報を送信する。例えば、送信部１３４は、端末装置５０に各種情報を送信する。例えば、送信部１３４は、バス２０と端末装置５０が直接通信する場合、バス２０に対象情報を送信する先を指定する情報を送信してもよい。例えば、送信部１３４は、バス２０−１が端末装置５０−１を利用する監視者Ａ１に監視される場合、バス２０−１に端末装置５０−１へ対象情報を送信するように送信先を指定する情報を送信してもよい。
【０１３５】
例えば、送信部１３４は、端末装置５０に監視対象となるバス２０に関する対象情報を送信してもよい。例えば、送信部１３４は、バス２０において検知された動画像や音声等の種々の情報を端末装置５０に送信してもよい。例えば、送信部１３４は、表示装置１０の表示に関する各種情報を表示装置１０へ送信する。例えば、送信部１３４は、表示装置１０が表示する情報を指示する情報を表示装置１０へ送信する。例えば、送信部１３４は、表示装置１０が表示する情報を変更することを指示する情報を表示装置１０へ送信する。例えば、送信部１３４は、表示装置１０に表示を制御する制御情報を送信してもよい。例えば、送信部１３４は、表示装置１０における情報の表示や表示の変更等を制御するＪａｖａＳｃｒｉｐｔ（登録商標）等を表示装置１０へ送信してもよい。
【０１３６】
〔４．表示の変更〕
図９〜図１１を用いて表示装置１０における表示の変更について説明する。図９及び図１０は、実施形態に係る表示処理の一例を示す図である。図１１は、実施形態に係る表示の一例を示す図である。図９及び図１０に示す地図情報ＭＰ１１−１、ＭＰ１１−２について、簡単に説明する。図９及び図１０に示す地図情報ＭＰ１１−１、ＭＰ１１−２は、バス２０−１〜２０−５の位置やバス２０と監視者との関係等を模式的に示す図である。図９及び図１０に示す地図情報ＭＰ１１−１は、図１に示す地図情報ＭＰ１１−１に対応する。図９及び図１０に示す地図情報ＭＰ１１−１及び地図情報ＭＰ１１−２は、バス２０と監視者との関係の変化、すなわちバス２０の監視者の変更を図示するためのものであり、地図情報ＭＰ１１−１及び地図情報ＭＰ１１−２に示す範囲（エリア）は、同一のエリアである。また、地図情報ＭＰ１１−１、ＭＰ１１−２について、特に区別なく説明する場合には、地図情報ＭＰ１１と記載する。
【０１３７】
まず、図９を用いて監視者の変更の一例を示す。図９中のステップＳ１１、Ｓ１２は、図１中のステップＳ１１、Ｓ１２と同様のため説明を省略する。図９の例では、バス２０−１に所定の事象が発生する（ステップＳ１３）。図９の例では、バス２０−１から異音等の故障の可能性を示す事象が発生する。バス２０−１を遠隔監視している監視者Ａ１は、端末装置５０−１が出力するバス２０−１に対応する音声に基づいて、バス２０−１に所定の事象が発生していると推定する。そして、監視者Ａ１は、端末装置５０−１を操作することにより、決定装置１００へバス２０−１に所定の事象が発生していることを示す情報を送信する。
【０１３８】
例えば、決定装置１００は、端末装置５０−１から取得した移動体に関する情報に基づいて、移動体が所定の条件を満たすかどうかを判定する。例えば、決定装置１００は、端末装置５０−１から取得するバス２０−１に所定の事象が発生していることを示す情報に基づいて、バス２０−１に所定の事象が発生したと判定してもよい。また、例えば、決定装置１００は、端末装置５０−１から取得するバス２０−１に所定の事象が発生していることを示す情報に基づいて、バス２０−１が所定の条件を満たすと判定してもよい。なお、所定の条件は、バス２０に所定の事象が発生したかどうかに限らず、種々の条件であってもよい。
【０１３９】
バス２０−１が所定の条件を満たすと判定した決定装置１００は、複数の移動体の監視態様を決定する（ステップＳ１４）。例えば、決定装置１００は、複数の移動体の自動運転に関する態様を決定する。例えば、決定装置１００は、複数の移動体を監視する監視者を変更するタイミングを決定する。図９の例では、決定装置１００は、所定の事象が発生したバス２０−１を遠隔監視している監視者Ａ１の監視対象のうち、バス２０−１以外のバス２０の監視者を他の監視者へ変更すると決定する。具体的には、決定装置１００は、監視者Ａ１の監視対象であるバス２０−１〜２０−３のうち、バス２０−２、２０−３の監視者を監視者Ａ２へ変更すると決定する。例えば、決定装置１００は、バス２０−１が所定の条件を満たすと判定したタイミングで、監視者Ａ１の監視対象のうち、バス２０−１以外のバス２０の監視者を変更すると決定する。そして、決定装置１００は、監視者Ａ１の監視対象であるバス２０−２、２０−３の監視者を監視者Ａ２へ変更する。なお、監視者Ａ２は、１０台まで複数のバス２０を監視可能な監視者であるものとする（図７参照）。また、例えば、決定装置１００は、他の監視者への監視者の変更ができない場合は、バス２０−１またはバス２０−２、２０−３のいずれかの動作（走行）を停止させてもよい。また、例えば、決定装置１００は、バス２０−１の監視者を監視者Ａ１から他の監視者（例えば監視対象が０台の監視者）へ監視者を変更すると決定してもよい。なお、ここでいう、「自動運転に関する態様」には、上述のような、監視者の変更や移動体の停止に限らず種々の態様が含まれるものとする。例えば、「自動運転に関する態様」には、移動体の速度を落とす（低下させる）ことが含まれてもよい。また、例えば、「自動運転に関する態様」には、移動体の所定のランプを点灯（点滅）させる、例えば移動体のハザードを出すことが含まれてもよい。また、例えば、「自動運転に関する態様」には、移動体から所定の音を出力させる、例えば移動体のクラクションを鳴らすことが含まれてもよい。
【０１４０】
図９中の地図情報ＭＰ１１−２に示すように、決定装置１００は、各監視者Ａ１、Ａ２の監視対象を変更することにより、複数の移動体の自動運転に関する態様を決定する。図９の例では、決定装置１００による表示処理の後の時点では、監視者Ａ１が１台のバス２０−１を遠隔監視し、監視者Ａ２が４台のバス２０−２〜２０−５を遠隔監視している。
【０１４１】
例えば、対応中監視者が変更されたバス２０に配置された表示装置１０は、対応中監視者が変更されたことを示す情報を受信する。図９の例では、バス２０−２、２０−３に配置された表示装置１０は、対応中監視者が監視者Ａ１から監視者Ａ２に変更されたことを示す情報を受信する。なお、対応中監視者が変更されたバス２０に配置された表示装置１０は、対応中監視者に対応する特定情報を受信してもよい。
【０１４２】
図９の例では、バス２０−１の対応中監視者は、監視者Ａ１のままで変更が無いため、バス２０−１に配置された表示装置１０−１においては、図１や図２と同様に監視者Ａ１が対応中監視者として表示される。また、バス２０−２の対応中監視者は、監視者Ａ１から監視者Ａ２に変更されたため、バス２０−２に配置された表示装置１０−２においては、対応中監視者が監視者Ａ１から監視者Ａ２に変更される。この場合、バス２０−２に配置された表示装置１０−２には、監視者Ａ２が対応中監視者として表示される。
【０１４３】
監視者Ａ１が利用する端末装置５０−１は、バス２０−１の対象情報を取得する（ステップＳ１５−１）。図９の例では、端末装置５０−１は、バス２０−１の対象情報として、地図情報ＭＰ１１−２に示すバス２０−１において検知された動画像や音声等の種々の情報を取得する。
【０１４４】
また、監視者Ａ２が利用する端末装置５０−２は、バス２０−２の対象情報を取得する（ステップＳ１５−２）。図９の例では、端末装置５０−２は、バス２０−２の対象情報として、地図情報ＭＰ１１−２に示すバス２０−２において検知された動画像や音声等の種々の情報を取得する。
【０１４５】
また、監視者Ａ２が利用する端末装置５０−２は、バス２０−３の対象情報を取得する（ステップＳ１５−３）。図９の例では、端末装置５０−２は、バス２０−３の対象情報として、地図情報ＭＰ１１−２に示すバス２０−３において検知された動画像や音声等の種々の情報を取得する。
【０１４６】
また、監視者Ａ２が利用する端末装置５０−２は、バス２０−４の対象情報を取得する（ステップＳ１５−４）。図９の例では、端末装置５０−２は、バス２０−４の対象情報として、地図情報ＭＰ１１−２に示すバス２０−４において検知された動画像や音声等の種々の情報を取得する。
【０１４７】
また、監視者Ａ２が利用する端末装置５０−２は、バス２０−５の対象情報を取得する（ステップＳ１５−５）。図９の例では、端末装置５０−２は、バス２０−５の対象情報として、地図情報ＭＰ１１−２に示すバス２０−５において検知された動画像や音声等の種々の情報を取得する。
【０１４８】
以下、ステップＳ１５−１〜Ｓ１５−５を区別せずに説明する場合、ステップＳ１５と総称する。また、ステップＳ１５−１〜Ｓ１５−５は、バス２０と端末装置５０との対応関係を示すためのものであり、端末装置５０は、監視対象となっているバス２０の対象情報を複数回に亘って取得してもよい。
【０１４９】
また、監視者Ａ１は、ステップＳ１５において取得した対象情報に基づいて、監視対象となっているバス２０を遠隔監視する（ステップＳ１６−１）。図９の例では、監視者Ａ１は、端末装置５０−１によりバス２０−１のみを遠隔監視する。監視者Ａ１は、端末装置５０−１が画面に表示するバス２０−１の動画像を見たり、端末装置５０−１がスピーカ等により出力するバス２０−１の音声を聞いたりすることにより、所定の事象が発生しているバス２０−１をリアルタイムに遠隔監視する。
【０１５０】
また、監視者Ａ２は、ステップＳ１５において取得した対象情報に基づいて、監視対象となっているバス２０を遠隔監視する（ステップＳ１６−２）。図９の例では、監視者Ａ２は、端末装置５０−２によりバス２０−２〜２０−５の４台のバスを遠隔監視する。監視者Ａ２は、端末装置５０−２が画面に表示するバス２０−２〜２０−５の動画像を見たり、端末装置５０−２がスピーカ等により出力するバス２０−２〜２０−５の音声を聞いたりすることにより、バス２０−２〜２０−５の４台のバスをリアルタイムに遠隔監視する。
【０１５１】
以下、ステップＳ１６−１、Ｓ１６−２を区別せずに説明する場合、ステップＳ１６と総称する。また、ステップＳ１６−１、Ｓ１６−２は、監視者Ａ１や監視者Ａ２がバス２０を、端末装置５０を用いて遠隔監視していることを示すためのものであり、監視者Ａ１や監視者Ａ２は、監視対象となっているバス２０を所定の期間（例えば業務時間中等）に亘って継続して監視する。
【０１５２】
そして、監視者Ａ１は、ステップＳ１５において取得した対象情報に基づいて、監視対象となっているバス２０−１に発生した事象への対応を行う（ステップＳ１７）。例えば、監視者Ａ１は、端末装置５０−１に表示されるバス２０−１の動画像や、端末装置５０−１により出力されるバス２０−１の音声等に基づいて、バス２０−１に発生した所定の事象に対応する。例えば、監視者Ａ１は、バス２０−１に発生した事象の影響度に応じて、バス２０−１を遠隔操作したり、バス２０−１を所定の位置（例えば路肩等）に停止させたりする。上記のように、決定装置１００は、バス２０−１に所定の事象が発生していることを示す情報に基づいて、複数の移動体の自動運転に関する態様を決定することにより、遠隔監視される複数の移動体の適切な動作を可能にすることができる。なお、図９の例では、バス２０に所定の事象が発生した際に、監視者を変更する場合を示したが、決定装置１００は、所定の事象が発生した際に、種々の自動運転に関する態様を決定してもよい。例えば、決定装置１００は、バス２０に所定の事象が発生した際に、上述のように、バス２０の停止やバス２０の速度低下やバス２０の所定のランプの点灯やバス２０からの所定の音の出力等の種々の自動運転に関する態様を決定してもよい。また、例えば、決定装置１００は、バス２０に所定の事象が発生した際に、そのバス２０を監視する監視者へ対応可能かどうかの確認を行ってもよい。この場合、決定装置１００は、バス２０を監視する監視者が対応不可能と回答した場合、そのバス２０またはその監視者が監視する他のバス２０の監視者を他の監視者に変更すると決定してもよい。また、決定装置１００は、バス２０を監視する監視者が対応可能と回答した場合、監視者を変更しないと決定してもよい。また、例えば、決定装置１００は、バス２０に所定の事象が発生した際に、そのバス２０を監視する監視者の数を増加させると決定してもよい。また、例えば、決定装置１００は、１人の監視者が監視しているバス２０に所定の事象が発生した際に、そのバス２０を監視する監視者の数を２人に増加させると決定してもよい。なお、上記は一例であり、決定装置１００は、バス２０に所定の事象が発生した際に、その時の状況等に応じて、種々の決定を行ってもよい。
【０１５３】
次に、図１０を用いて、バス２０−１の対応中監視者の変更がある場合における表示処理について説明する。上述したように、図１０中の地図情報ＭＰ１１−１に対応する時点では、バス２０−１〜２０−３は、監視者Ａ１により遠隔監視されている。また、図１０中の地図情報ＭＰ１１−１に対応する時点では、バス２０−４、２０−５は、監視者Ａ２により遠隔監視されている。すなわち、図１０の例では、決定装置１００による表示処理の前の時点では、監視者Ａ１が３台のバス２０−１〜２０−３を遠隔監視し、監視者Ａ２が２台のバス２０−４、２０−５を遠隔監視している。
【０１５４】
まず、監視者Ａ１が利用する端末装置５０−１は、バス２０−１の対象情報を取得する（ステップＳ２１−１）。図１０の例では、端末装置５０−１は、バス２０−１の対象情報として、地図情報ＭＰ１１−１に示すバス２０−１において検知された動画像や音声等の種々の情報を取得する。
【０１５５】
また、監視者Ａ１が利用する端末装置５０−１は、バス２０−２の対象情報を取得する（ステップＳ２１−２）。図１０の例では、端末装置５０−１は、バス２０−２の対象情報として、地図情報ＭＰ１１−１に示すバス２０−２において検知された動画像や音声等の種々の情報を取得する。
【０１５６】
また、監視者Ａ１が利用する端末装置５０−１は、バス２０−３の対象情報を取得する（ステップＳ２１−３）。図１０の例では、端末装置５０−１は、バス２０−３の対象情報として、地図情報ＭＰ１１−１に示すバス２０−３において検知された動画像や音声等の種々の情報を取得する。
【０１５７】
また、監視者Ａ２が利用する端末装置５０−２は、バス２０−４の対象情報を取得する（ステップＳ２１−４）。図１０の例では、端末装置５０−２は、バス２０−４の対象情報として、地図情報ＭＰ１１−１に示すバス２０−４において検知された動画像や音声等の種々の情報を取得する。
【０１５８】
また、監視者Ａ２が利用する端末装置５０−２は、バス２０−５の対象情報を取得する（ステップＳ２１−５）。図１０の例では、端末装置５０−２は、バス２０−５の対象情報として、地図情報ＭＰ１１−１に示すバス２０−５において検知された動画像や音声等の種々の情報を取得する。
【０１５９】
以下、ステップＳ２１−１〜Ｓ２１−５を区別せずに説明する場合、ステップＳ２１と総称する。また、ステップＳ２１−１〜Ｓ２１−５は、バス２０と端末装置５０との対応関係を示すためのものであり、端末装置５０は、監視対象となっているバス２０の対象情報を複数回に亘って取得してもよい。
【０１６０】
また、監視者Ａ１は、ステップＳ２１において取得した対象情報に基づいて、監視対象となっているバス２０を遠隔監視する（ステップＳ２２−１）。図１０の例では、監視者Ａ１は、端末装置５０−１によりバス２０−１〜２０−３の３台のバスを遠隔監視する。監視者Ａ１は、端末装置５０−１が画面に表示するバス２０−１〜２０−３の動画像を見たり、端末装置５０−１がスピーカ等により出力するバス２０−１〜２０−３の音声を聞いたりすることにより、バス２０−１〜２０−３の３台のバスをリアルタイムに遠隔監視する。
【０１６１】
また、監視者Ａ２は、ステップＳ２１において取得した対象情報に基づいて、監視対象となっているバス２０を遠隔監視する（ステップＳ２２−２）。図１０の例では、監視者Ａ２は、端末装置５０−２によりバス２０−４、２０−５の２台のバスを遠隔監視する。監視者Ａ２は、端末装置５０−２が画面に表示するバス２０−４、２０−５の動画像を見たり、端末装置５０−２がスピーカ等により出力するバス２０−４、２０−５の音声を聞いたりすることにより、バス２０−４、２０−５の２台のバスをリアルタイムに遠隔監視する。
【０１６２】
以下、ステップＳ２２−１、Ｓ２２−２を区別せずに説明する場合、ステップＳ２２と総称する。また、ステップＳ２２−１、Ｓ２２−２は、監視者Ａ１や監視者Ａ２がバス２０を、端末装置５０を用いて遠隔監視していることを示すためのものであり、監視者Ａ１や監視者Ａ２は、監視対象となっているバス２０を所定の期間（例えば業務時間中等）に亘って継続して監視する。図１０の例では、バス２０−１の対応中監視者は、監視者Ａ１であるため、バス２０−１に配置された表示装置１０−１においては、図２に示すように監視者Ａ１が対応中監視者として表示される。
【０１６３】
ここで、監視者Ａ１がバス２０の遠隔監視が困難になったものとする（ステップＳ２３）。図１０の例では、監視者Ａ１が全監視対象の監視が困難になったものとする。例えば、監視者Ａ１の体調の急変等により、端末装置５０−１から離れる等により、全監視対象の監視が困難になったものとする。例えば、監視者Ａ１の体調の急変等により、端末装置５０−１を配置した机から離席する等により、全監視対象の監視が困難になったものとする。なお、監視者Ａ１は、端末装置５０−１を操作することにより、決定装置１００へ監視者Ａ１が全監視対象の監視が困難になることを示す情報を送信してもよい。
【０１６４】
また、決定装置１００は、端末装置５０−１が撮像する端末装置５０−１の画面側の画像に基づいて、監視者Ａ１が端末装置５０−１から離れたと判定することにより、全監視対象の監視が困難になったと判定してもよい。すなわち、決定装置１００は、監視者が複数の移動体を監視するための表示装置である端末装置５０を視認不可能な状況になったと判定する。例えば、決定装置１００は、端末装置５０−１が撮像する端末装置５０−１の画面側の画像をリアルタイムに取得し、画像を解析することにより、監視者Ａ１が端末装置５０−１から離れたと判定することにより、全監視対象の監視が困難になったと判定してもよい。また、例えば、決定装置１００は、監視者Ａ１の位置情報等に基づいて、監視者Ａ１が端末装置５０−１から離れたと判定することにより、全監視対象の監視が困難になったと判定してもよい。なお、決定装置１００は、監視者Ａ１と端末装置５０−１との位置関係を把握可能であれば、どのような情報に基づいて、監視者Ａ１により監視が困難になったかを判定してもよい。例えば、決定装置１００は、監視者Ａ１や端末装置５０−１に装着されたＲＦＩＤ（Radio  frequency  identification）等から取得した情報に基づいて、監視者Ａ１と端末装置５０−１との位置関係を把握してもよい。
【０１６５】
なお、決定装置１００は、監視者が監視困難になったかどうかに限らず、監視者の監視状況に関する種々の条件を所定の条件としてもよい。例えば、決定装置１００は、監視者の注意レベルが所定の閾値以上かどうかを、監視者の監視状況に関する所定の条件としてもよい。
【０１６６】
監視者Ａ１が全監視対象の監視が困難になったことを示す情報を取得した決定装置１００は、複数の移動体の監視態様を決定する（ステップＳ２４）。例えば、決定装置１００は、複数の移動体の自動運転に関する態様を決定する。例えば、決定装置１００は、複数の移動体を監視する監視者を変更するタイミングを決定する。図１０の例では、決定装置１００は、全監視対象の監視が困難になった監視者Ａ１の監視対象の全バス２０の監視者を他の監視者へ変更すると決定する。具体的には、決定装置１００は、監視者Ａ１の監視対象であるバス２０−１〜２０−３の監視者を監視者Ａ２へ変更すると決定する。例えば、決定装置１００は、監視者Ａ１が全監視対象の監視が困難になったことを示す情報を取得したタイミングで、監視者Ａ１の監視対象のバス２０の監視者を変更すると決定する。そして、決定装置１００は、監視者Ａ１の監視対象であるバス２０−１〜２０−３の監視者を監視者Ａ２へ変更する。また、例えば、決定装置１００は、他の監視者への監視者の変更ができない場合は、バス２０−１〜２０−３の動作（走行）を停止させてもよい。
【０１６７】
図１０中の地図情報ＭＰ１１−２に示すように、決定装置１００は、各監視者Ａ１、Ａ２の監視対象を変更することにより、複数の移動体の自動運転に関する態様を決定する。図１０の例では、決定装置１００による表示処理の後の時点では、監視者Ａ２が５台のバス２０−１〜２０−５を遠隔監視している。
【０１６８】
例えば、対応中監視者が変更されたバス２０に配置された表示装置１０は、対応中監視者が変更されたことを示す情報を受信する。図１０の例では、バス２０−１〜２０−３に配置された表示装置１０は、対応中監視者が監視者Ａ１から監視者Ａ２に変更されたことを示す情報を受信する。
【０１６９】
このように、図１０の例では、ステップＳ２４において、バス２０−１の対応中監視者は、監視者Ａ１から監視者Ａ２に変更されたため、バス２０−１に配置された表示装置１０−１の表示が図２に示す表示態様から図１１に示す表示態様に変更される。すなわち、図１０の例では、バス２０−１の対応中監視者は、監視者Ａ１から監視者Ａ２に変更されたため、バス２０−１に配置された表示装置１０−１においては、図１１に示すように監視者Ａ２が対応中監視者として表示される。図１１は、実施形態に係る監視者の表示の一例を示す図である。
【０１７０】
図１１の例では、バス２０−１内に配置された表示装置１０−１は、バス２０−１を監視する監視者の候補となる複数の監視者の各々に対応する複数の特定情報ＩＮＦ１１〜ＩＮＦ１３を一覧表示する。
【０１７１】
また、表示装置１０−１は、複数の特定情報ＩＮＦ１１〜ＩＮＦ１３のうち、バス２０−１を遠隔監視中の監視者である対応中監視者を識別可能な表示態様で複数の特定情報ＩＮＦ１１〜ＩＮＦ１３を表示する。図１１の例では、表示装置１０−１は、複数の監視者のうち、対応中監視者を明示する明示情報ＭＫ２１を、複数の特定情報とともに表示する。例えば、表示装置１０−１は、対応中監視者を明示する明示情報ＭＫ２１を、対応中監視者に対応する特定情報ＩＮＦ１２の近傍に表示する。具体的には、表示装置１０−１は、対応中監視者を明示する明示情報ＭＫ２１を、対応中監視者である監視者Ａ２の特定情報ＩＮＦ１２の左隣りに表示する。
【０１７２】
このように、表示装置１０は、特定情報ＩＮＦ１２に対応する位置に明示情報ＭＫ２１を表示し、バス２０−１の対応中監視者が監視者Ａ２であることを明示することにより、遠隔監視される移動体の監視者を移動体内において適切に確認可能にすることができる。すなわち、表示装置１０は、対応中監視者の変更に応じて、随時表示を切り替えることにより、遠隔監視される移動体の監視者を移動体内において適切に確認可能にすることができる。
【０１７３】
また、監視者Ａ２が利用する端末装置５０−２は、バス２０−１の対象情報を取得する（ステップＳ２５−１）。図１０の例では、端末装置５０−２は、バス２０−１の対象情報として、地図情報ＭＰ１１−２に示すバス２０−１において検知された動画像や音声等の種々の情報を取得する。
【０１７４】
また、監視者Ａ２が利用する端末装置５０−２は、バス２０−２の対象情報を取得する（ステップＳ２５−２）。図１０の例では、端末装置５０−２は、バス２０−２の対象情報として、地図情報ＭＰ１１−２に示すバス２０−２において検知された動画像や音声等の種々の情報を取得する。
【０１７５】
また、監視者Ａ２が利用する端末装置５０−２は、バス２０−３の対象情報を取得する（ステップＳ２５−３）。図１０の例では、端末装置５０−２は、バス２０−３の対象情報として、地図情報ＭＰ１１−２に示すバス２０−３において検知された動画像や音声等の種々の情報を取得する。
【０１７６】
また、監視者Ａ２が利用する端末装置５０−２は、バス２０−４の対象情報を取得する（ステップＳ２５−４）。図１０の例では、端末装置５０−２は、バス２０−４の対象情報として、地図情報ＭＰ１１−２に示すバス２０−４において検知された動画像や音声等の種々の情報を取得する。
【０１７７】
また、監視者Ａ２が利用する端末装置５０−２は、バス２０−５の対象情報を取得する（ステップＳ２５−５）。図１０の例では、端末装置５０−２は、バス２０−５の対象情報として、地図情報ＭＰ１１−２に示すバス２０−５において検知された動画像や音声等の種々の情報を取得する。
【０１７８】
以下、ステップＳ２５−１〜Ｓ２５−５を区別せずに説明する場合、ステップＳ２５と総称する。また、ステップＳ２５−１〜Ｓ２５−５は、バス２０と端末装置５０との対応関係を示すためのものであり、端末装置５０は、監視対象となっているバス２０の対象情報を複数回に亘って取得してもよい。
【０１７９】
また、監視者Ａ２は、ステップＳ２５において取得した対象情報に基づいて、監視対象となっているバス２０を遠隔監視する（ステップＳ２６）。図１０の例では、監視者Ａ２は、端末装置５０−２によりバス２０−１〜２０−５の５台のバスを遠隔監視する。監視者Ａ２は、端末装置５０−２が画面に表示するバス２０−１〜２０−５の動画像を見たり、端末装置５０−２がスピーカ等により出力するバス２０−１〜２０−５の音声を聞いたりすることにより、バス２０−１〜２０−５の５台のバスをリアルタイムに遠隔監視する。
【０１８０】
なお、ステップＳ２６は、監視者Ａ１や監視者Ａ２がバス２０を、端末装置５０を用いて遠隔監視していることを示すためのものであり、監視者Ａ２は、監視対象となっているバス２０を所定の期間（例えば業務時間中等）に亘って継続して監視する。また、監視者Ａ１が監視可能な状態に戻った場合、決定装置１００は、バス２０−１〜２０−３の監視者を監視者Ａ１に変更してもよい。例えば、監視者Ａ１が端末装置５０−１の前に戻ることにより監視可能な状態に戻った場合、決定装置１００は、バス２０−１〜２０−３の監視者を監視者Ａ１に変更してもよい。
【０１８１】
（４−１．監視態様）
なお、表示システム１におけるバス２０の監視態様や監視者の変更態様については、上述した例に限らず、種々の態様であってもよい。上述した例では、各バス２０を１人の監視者が監視する場合を示したが、１つのバス２０を複数の監視者が監視する態様であってもよい。例えば、１つのバス２０は、複数の監視者により重畳的に監視されてもよい。この場合、１つのバス２０を監視する複数の監視者は、主たる監視者（第１監視者）と従たる監視者（第２監視者）等の異なる種別であってもよい。例えば、第１監視者と第２監視者とは、操作内容や責任等が異なってもよい。例えば、第１監視者がバス２０の遠隔監視を主として行い、第２監視者は第１監視者及びバス２０全体の運行管理等を行ってもよい。この場合、１人の第２監視者は、複数の第１監視者に対応付けられてもよい。
【０１８２】
また、決定装置１００は、１つのバス２０が複数の監視者により重畳的に監視されている場合、バス２０が走行中であっても監視者が変更可能であってもよい。例えば、決定装置１００は、１つのバス２０が複数の監視者により重畳的に監視されている場合、変更タイミングに関する所定の条件を満たすとして、バス２０が走行中であっても監視者を変更してもよい。例えば、決定装置１００は、１つのバスが複数の監視者により遠隔監視される場合、所定の条件を満たすタイミングで、そのバスを監視する複数の監視者のうち、１人の監視者を除外すると決定してもよい。また、例えば、決定装置１００は、１つのバスが複数の監視者により遠隔監視される場合、所定の条件を満たすタイミングで、そのバスを監視する複数の監視者のうち、１人の監視者を他の監視者に変更すると決定してもよい。例えば、決定装置１００は、走行中のバス２０を監視する監視者が０人にならない限り、所望のタイミングで走行中のバス２０を監視する監視者に関する変更を行ってもよい。
【０１８３】
（４−２．業務分担）
また、決定装置１００は、各監視者の業務負荷やスキル等に応じて各監視者の監視対象となるバス２０の台数等を決定してもよい。例えば、決定装置１００は、複数の移動体の監視における各監視者の負荷が所定の基準を満たすように、移動体の自動運転に関する態様を変更してもよい。例えば、決定装置１００は、各監視者の負荷が平均化するように、各監視者の監視対象となるバス２０の台数等を決定してもよい。例えば、決定装置１００は、１００台のバス２０を２０人の監視者で監視する場合、各監視者の負荷が平均化するように、各監視者に５台ずつバス２０を監視させてもよい。また、例えば、決定装置１００は、スキルが低い監視者や最大監視台数が５台未満の監視者には、５台未満のバス２０を監視させると決定し、残りの監視者の負荷が平均化するように、各監視者が監視するバス２０の台数を決定してもよい。
【０１８４】
また、決定装置１００は、監視台数に限らず、種々の情報に基づいて各監視者の負荷を決定してもよい。例えば、決定装置１００は、各バス２０の運行ルートに応じてバス２０を監視する監視負荷を決定してもよい。例えば、決定装置１００は、各バス２０の運行ルートに応じてバス２０の負荷スコアを決定し、各監視者の監視対象となるバス２０の負荷スコアの合計が平均化するように、各監視者が監視するバス２０を決定してもよい。例えば、決定装置１００は、歩行者や自転車等の交通量が多い運行ルートのバス２０の負荷スコアを他の運行ルートのバス２０よりも高く決定してもよい。また、例えば、決定装置１００は、一本道等の分岐の少ない運行ルートのバス２０の負荷スコアを他の運行ルートのバス２０よりも低く決定してもよい。
【０１８５】
また、例えば、決定装置１００は、各バス２０のステータス（図８参照）に応じて負荷スコアを決定してもよい。例えば、決定装置１００は、ステータスが「事象発生」であるバス２０の負荷スコアをステータスが「通常」であるバス２０よりも高く決定してもよい。例えば、決定装置１００は、一の監視者の負荷が所定の閾値（上限閾値）以上である場合、一の監視者の監視対象となるバス２０の監視者を他の監視者へ変更してもよい。例えば、決定装置１００は、一の監視者の負荷が所定の閾値（上限閾値）未満となるように、一の監視者の監視対象となるバス２０の監視者を他の監視者へ変更してもよい。なお、上記は一例であり、決定装置１００は、種々の情報に基づいて、各監視者が監視するバス２０を決定してもよい。
【０１８６】
（４−３．所定の事象）
なお、移動体であるバス２０における所定の事象は、故障や異音の発生に限らず、種々の事象であってもよい。バス２０における所定の事象は、緊急車両接近や障害物有等の種々の事象であってもよい。例えば、決定装置１００は、バス２０の移動を妨げる事象を所定の事象として、バス２０の自動運転に関する態様を変更すると決定してもよい。例えば、決定装置１００は、バス２０の進行方向において障害が発生した場合、バス２０の自動運転に関する態様を変更してもよい。例えば、決定装置１００は、１つのバス２０（「要対応バス」とする）の進行方向において工事や落石等の障害物が発生した場合、要対応バスを監視する監視者の監視対象となっている他のバス２０の監視者を他の監視者に変更してもよい。
【０１８７】
（４−４．変更タイミング）
また、決定装置１００は、種々のタイミングでバス２０の監視者を変更してもよい。例えば、決定装置１００は、バス２０が停止したタイミングで、そのバス２０を監視する監視者を変更してもよい。また、例えば、決定装置１００は、バス２０が停止してから所定の時間が経過したタイミングで、そのバス２０を監視する監視者を変更してもよい。例えば、決定装置１００は、バス２０が信号停止時にそのバス２０を監視する監視者を変更してもよい。また、ここでいう、バス２０の監視者を変更するタイミングには、上述のような、バス２０の停止時に限らず種々のタイミングが含まれるものとする。例えば、決定装置１００は、バス２０が低速走行時にそのバス２０を監視する監視者を変更してもよい。例えば、決定装置１００は、バス２０が所定の閾値未満の速度で走行時にそのバス２０を監視する監視者を変更してもよい。また、例えば、決定装置１００は、バス２０が安定走行時にそのバス２０を監視する監視者を変更してもよい。例えば、決定装置１００は、バス２０が安定走行に関する所定の条件を満たす走行時に、そのバス２０を監視する監視者を変更してもよい。例えば、決定装置１００は、バス２０が所定の距離以上に亘って一車線の道路を走行時に、そのバス２０を監視する監視者を変更してもよい。例えば、決定装置１００は、バス２０が所定の距離以上に亘って交差点等の分岐が無い道路を走行時に、そのバス２０を監視する監視者を変更してもよい。例えば、決定装置１００は、バス２０がまっすぐな道路を走行時に、そのバス２０を監視する監視者を変更してもよい。例えば、決定装置１００は、バス２０が所定の距離以上に亘って所定の閾値以下の回転半径のカーブが無い道路を走行時に、そのバス２０を監視する監視者を変更してもよい。
【０１８８】
〔５．表示処理のフロー〕
次に、図１２を用いて、実施形態に係る表示システム１による表示処理について説明する。図１２は、実施形態に係る表示処理の一例を示すフローチャートである。具体的には、図１２は、表示処理の一例を示すフローチャートである。
【０１８９】
まず、表示装置１０は、移動体を遠隔監視する対応中監視者の特定情報を表示する（ステップＳ１０１）。例えば、決定装置１００は、図１に示す例では、バス２０−１の対応中監視者が監視者Ａ１であることを示す特定情報ＩＮＦ１を表示装置１０−１に表示させると決定する。例えば、表示装置１０−１は、図１に示す例では、バス２０−１の対応中監視者が監視者Ａ１であることを示す特定情報ＩＮＦ１を表示する。
【０１９０】
そして、決定装置１００は、対応中監視者の変更があった場合（ステップＳ１０２：Ｙｅｓ）、対応中監視者の変更に応じて、表示中の特定情報を変更する（ステップＳ１０３）。例えば、決定装置１００は、対応中監視者の変更があった場合、対応する表示装置１０の表示中の特定情報を変更すると決定する。例えば、図１０例では、バス２０−１の対応中監視者が監視者Ａ１から監視者Ａ２に変更されたため、決定装置１００は、図１１に示すように、バス２０−１の対応中監視者が監視者Ａ２であることを示す特定情報ＩＮＦ１２及び明示情報ＭＫ２１を表示装置１０−１に表示させると決定する。例えば、表示装置１０−１は、ステップＳ１０１に戻って、図１１に示すように、バス２０−１の対応中監視者が監視者Ａ２であることを示す特定情報ＩＮＦ１２及び明示情報ＭＫ２１を表示する。
【０１９１】
また、決定装置１００は、対応中監視者の変更がない場合（ステップＳ１０２：Ｎｏ）、ステップＳ１０１に戻って処理を繰り返す。例えば、決定装置１００は、図９に示す例では、バス２０−１の対応中監視者の変更はないため、決定装置１００は、表示装置１０−１に、バス２０−１の対応中監視者が監視者Ａ１であることを示す特定情報ＩＮＦ１を表示させると決定する。図９に示す例では、バス２０−１の対応中監視者の変更はないため、表示装置１０は、ステップＳ１０１に戻って、バス２０−１の対応中監視者が監視者Ａ１であることを示す特定情報ＩＮＦ１を表示する。
【０１９２】
〔６．効果〕
上述してきたように、実施形態に係る決定装置１００は、監視者が遠隔監視する移動体であって、自動運転により動作する移動体に関する情報を有し、決定部１３３を有する。決定部１３３は、移動体（実施形態においては「バス２０」。以下同じ）に関する情報に基づいて、移動体に配置される表示装置１０に、移動体を遠隔監視する監視者を特定する特定情報を表示させると決定する。
【０１９３】
このように、実施形態に係る決定装置１００は、移動体を遠隔監視する監視者を特定する特定情報を表示装置１０に表示させることにより、遠隔監視される移動体の監視者を移動体内において適切に確認可能にすることができる。
【０１９４】
また、実施形態に係る決定装置１００において、決定部１３３は、移動体の監視者の変更に応じて、表示装置１０に表示中の特定情報を変更する。
【０１９５】
このように、実施形態に係る決定装置１００は、移動体の監視者の変更に応じて、表示装置１０に表示中の特定情報を変更することにより、遠隔監視される移動体の監視者を移動体内において適切に確認可能にすることができる。
【０１９６】
また、実施形態に係る決定装置１００において、決定部１３３は、移動体の監視者の一の監視者から他の監視者への変更に応じて、表示装置１０に表示中の特定情報を一の監視者に対応する特定情報から他の監視者に対応する特定情報に変更する。
【０１９７】
このように、実施形態に係る決定装置１００は、対応中監視者の一の監視者から他の監視者への変更に応じて、表示装置１０に表示中の特定情報を一の監視者に対応する特定情報から他の監視者に対応する特定情報に変更することにより、遠隔監視される移動体の監視者を移動体内において適切に確認可能にすることができる。
【０１９８】
また、実施形態に係る決定装置１００において、決定部１３３は、移動体を監視する監視者の候補となる複数の監視者の各々に対応する複数の特定情報のうち、移動体を遠隔監視中の監視者に対応する特定情報を表示装置１０に表示させると決定する。
【０１９９】
このように、実施形態に係る決定装置１００は、移動体を監視する監視者の候補となる複数の監視者の各々に対応する複数の特定情報のうち、移動体を遠隔監視中の監視者である対応中監視者に対応する特定情報を表示装置１０に表示させることにより、遠隔監視される移動体の監視者を移動体内において適切に確認可能にすることができる。
【０２００】
また、実施形態に係る決定装置１００において、決定部１３３は、移動体を監視する監視者の候補となる複数の監視者の各々に対応する複数の特定情報を表示装置１０に一覧表示させると決定する。
【０２０１】
このように、実施形態に係る決定装置１００は、移動体を監視する監視者の候補となる複数の監視者の各々に対応する複数の特定情報を表示装置１０に一覧表示させることにより、遠隔監視される移動体の監視者を移動体内において適切に確認可能にすることができる。
【０２０２】
また、実施形態に係る決定装置１００において、決定部１３３は、複数の特定情報のうち、移動体を遠隔監視中の監視者である対応中監視者を識別可能な表示態様で複数の特定情報を表示装置１０に表示させると決定する。
【０２０３】
このように、実施形態に係る決定装置１００は、複数の特定情報のうち、移動体を遠隔監視中の監視者である対応中監視者を識別可能な表示態様で複数の特定情報を表示装置１０に表示させることにより、遠隔監視される移動体の監視者を移動体内において適切に確認可能にすることができる。
【０２０４】
また、実施形態に係る決定装置１００において、決定部１３３は、複数の監視者のうち、対応中監視者を明示する明示情報を、複数の特定情報とともに表示装置１０に表示させると決定する。
【０２０５】
このように、実施形態に係る決定装置１００は、複数の監視者のうち、対応中監視者を明示する明示情報を、複数の特定情報とともに表示装置１０に表示させることにより、遠隔監視される移動体の監視者を移動体内において適切に確認可能にすることができる。
【０２０６】
また、実施形態に係る決定装置１００において、決定部１３３は、表示装置１０における対応中監視者を明示する明示情報を、対応中監視者に対応する特定情報の近傍に表示させると決定する。
【０２０７】
このように、実施形態に係る決定装置１００は、表示装置１０における対応中監視者を明示する明示情報を、対応中監視者に対応する特定情報の近傍に表示させることにより、遠隔監視される移動体の監視者を移動体内において適切に確認可能にすることができる。
【０２０８】
また、実施形態に係る決定装置１００において、決定部１３３は、対応中監視者に対応する特定情報を他の監視者に対応する特定情報とは異なる表示態様で表示装置１０に表示させると決定する。
【０２０９】
このように、実施形態に係る決定装置１００は、対応中監視者に対応する特定情報を他の監視者に対応する特定情報とは異なる表示態様で表示装置１０に表示させることにより、遠隔監視される移動体の監視者を移動体内において適切に確認可能にすることができる。
【０２１０】
また、実施形態に係る決定装置１００において、決定部１３３は、表示装置１０における対応中監視者に対応する特定情報の表示サイズを他の監視者に対応する特定情報の表示サイズよりも大きくすると決定する。
【０２１１】
このように、実施形態に係る決定装置１００は、表示装置１０における対応中監視者に対応する特定情報の表示サイズを他の監視者に対応する特定情報の表示サイズよりも大きくすることにより、遠隔監視される移動体の監視者を移動体内において適切に確認可能にすることができる。
【０２１２】
また、実施形態に係る決定装置１００において、決定部１３３は、対応中監視者に対応する特定情報の色と他の監視者に対応する特定情報の色とを異ならせると決定する。
【０２１３】
このように、実施形態に係る決定装置１００は、表示装置１０における対応中監視者に対応する特定情報の色と他の監視者に対応する特定情報の色とを異ならせることにより、遠隔監視される移動体の監視者を移動体内において適切に確認可能にすることができる。
【０２１４】
また、実施形態に係る決定装置１００において、決定部１３３は、対応中監視者に対応する特定情報を表示装置１０において点滅表示させると決定する。
【０２１５】
このように、実施形態に係る決定装置１００は、対応中監視者に対応する特定情報を表示装置１０において点滅表示することにより、遠隔監視される移動体の監視者を移動体内において適切に確認可能にすることができる。
【０２１６】
実施形態に係る表示装置１０は、遠隔監視される移動体であって、自動運転により動作する移動体に配置され、表示部１５３を有する。表示部１５３は、移動体を遠隔監視する監視者を特定する特定情報を表示する。
【０２１７】
このように、実施形態に係る表示装置１０は、移動体を遠隔監視する監視者を特定する特定情報を表示することにより、遠隔監視される移動体の監視者を移動体内において適切に確認可能にすることができる。
【０２１８】
〔７．プログラム〕
上述してきた表示装置１０による処理は、本願に係る表示プログラムにより実現される。例えば、表示装置１０に係る表示部１５３は、表示装置１０が有するＣＰＵやＭＰＵ等によって、例えば表示プログラムがＲＡＭを作業領域として、表示プログラムに係る表示手順が実行されることにより実現される。例えば、表示装置１０に係る表示部１５３は、表示装置１０が有するＣＰＵやＭＰＵ等によって、例えば表示アプリ等に含まれる表示プログラムがＲＡＭを作業領域として、表示プログラムに係る表示手順が実行されることにより実現される。表示装置１０に係る他の処理部も同様に、表示プログラムによる各手順が実行されることにより実現される。
【０２１９】
なお、本願に係る表示装置１０が実行する処理は、必ずしも全てが表示プログラムによって実現されるものでなくてもよい。例えば、表示装置１０外の情報等は、表示装置１０が有するＯＳ（Operating  System）によって取得されてもよい。すなわち、表示プログラム自体が、上述してきたような表示装置１０で実行される処理を実行するのではなく、ＯＳによって取得されたデータ（例えば、移動体の動画像を表示するために用いるデータや移動体の音声を出力するために用いるデータ）を受け取ったりすることにより、上述してきた表示装置１０の処理を実現するようにしてもよい。
【０２２０】
〔８．ハードウェア構成〕
上述してきた実施形態に係る表示装置１０や決定装置１００は、例えば図１３に示すような構成のコンピュータ１０００によって実現される。図１３は、表示装置及び決定装置の機能を実現するコンピュータの一例を示すハードウェア構成図である。コンピュータ１０００は、ＣＰＵ１１００、ＲＡＭ１２００、ＲＯＭ１３００、ＨＤＤ１４００、通信インターフェイス（Ｉ／Ｆ）１５００、入出力インターフェイス（Ｉ／Ｆ）１６００、及びメディアインターフェイス（Ｉ／Ｆ）１７００を有する。
【０２２１】
ＣＰＵ１１００は、ＲＯＭ１３００またはＨＤＤ１４００に格納されたプログラムに基づいて動作し、各部の制御を行う。ＲＯＭ１３００は、コンピュータ１０００の起動時にＣＰＵ１１００によって実行されるブートプログラムや、コンピュータ１０００のハードウェアに依存するプログラム等を格納する。
【０２２２】
ＨＤＤ１４００は、ＣＰＵ１１００によって実行されるプログラム、及び、プログラムによって使用されるデータ等を格納する。通信インターフェイス１５００は、ネットワークＮ（図３中においてはネットワークＮ）を介して他の機器からデータを受信してＣＰＵ１１００へ送り、ＣＰＵ１１００が収集したデータをネットワークＮを介して他の機器へ送信する。
【０２２３】
ＣＰＵ１１００は、入出力インターフェイス１６００を介して、ディスプレイやプリンタ等の出力装置、及び、キーボードやマウス等の入力装置を制御する。ＣＰＵ１１００は、入出力インターフェイス１６００を介して、入力装置からデータを取得する。また、ＣＰＵ１１００は、収集したデータを入出力インターフェイス１６００を介して出力装置へ出力する。
【０２２４】
メディアインターフェイス１７００は、記録媒体１８００に格納されたプログラムまたはデータを読み取り、ＲＡＭ１２００を介してＣＰＵ１１００に提供する。ＣＰＵ１１００は、プログラムを、メディアインターフェイス１７００を介して記録媒体１８００からＲＡＭ１２００上にロードし、ロードしたプログラムを実行する。記録媒体１８００は、例えばＤＶＤ（Digital  Versatile  Disc）、ＰＤ（Phase  change  rewritable  Disk）等の光学記録媒体、ＭＯ（Magneto-Optical  disk）等の光磁気記録媒体、テープ媒体、磁気記録媒体、または半導体メモリ等である。
【０２２５】
例えば、コンピュータ１０００が実施形態に係る表示装置１０や決定装置１００として機能する場合、コンピュータ１０００のＣＰＵ１１００は、ＲＡＭ１２００上にロードされたプログラムを実行することにより、制御部１５、１３０の機能を実現する。コンピュータ１０００のＣＰＵ１１００は、これらのプログラムを記録媒体１８００から読み取って実行するが、他の例として、他の装置からネットワークＮを介してこれらのプログラムを取得してもよい。
【０２２６】
以上、本願の実施形態及び変形例のいくつかを図面に基づいて詳細に説明したが、これらは例示であり、発明の開示の行に記載の態様を始めとして、当業者の知識に基づいて種々の変形、改良を施した他の形態で本発明を実施することが可能である。
【０２２７】
〔９．その他〕
また、上記実施形態及び変形例において説明した各処理のうち、自動的に行われるものとして説明した処理の全部または一部を手動的に行うこともでき、あるいは、手動的に行われるものとして説明した処理の全部または一部を公知の方法で自動的に行うこともできる。この他、上記文書中や図面中で示した処理手順、具体的名称、各種のデータやパラメータを含む情報については、特記する場合を除いて任意に変更することができる。例えば、各図に示した各種情報は、図示した情報に限られない。
【０２２８】
また、図示した各装置の各構成要素は機能概念的なものであり、必ずしも物理的に図示の如く構成されていることを要しない。すなわち、各装置の分散・統合の具体的形態は図示のものに限られず、その全部または一部を、各種の負荷や使用状況などに応じて、任意の単位で機能的または物理的に分散・統合して構成することができる。
【０２２９】
また、上述してきた実施形態及び変形例は、処理内容を矛盾させない範囲で適宜組み合わせることが可能である。
【０２３０】
また、上述してきた「部（section、module、unit）」は、「手段」や「回路」などに読み替えることができる。例えば、送信部は、送信手段や送信回路に読み替えることができる。
【符号の説明】
【０２３１】
１  表示システム
１０  表示装置
１２  記憶部
１３  入力部
１４  出力部
１５  制御部
１５１  送信部
１５２  受信部
１５３  表示部
１００  決定装置
１２０  記憶部
１２１  移動体情報記憶部
１２２  監視者情報記憶部
１２３  監視対応情報記憶部
１３０  制御部
１３１  取得部
１３２  判定部
１３３  決定部
１３４  送信部
５０  端末装置
２０  バス（移動体）
Ｎ  ネットワーク
【図１】
2019009510.tif 000003
【図２】
2019009510.tif 000004
【図３】
2019009510.tif 000005
【図４】
2019009510.tif 000006
【図５】
2019009510.tif 000007
【図６】
2019009510.tif 000008
【図７】
2019009510.tif 000009
【図８】
2019009510.tif 000010
【図９】
2019009510.tif 000011
【図１０】
2019009510.tif 000012
【図１１】
2019009510.tif 000013
【図１２】
2019009510.tif 000014
【図１３】
2019009510.tif 000015